(57)【特許請求の範囲】
【請求項１】
複数ｎ（ここにｎ≧３）個のディジタル情報信号を受信する入力手段と、
前記ｎ個のディジタル情報信号からｍ個（ここにｍ＞１）のディジタル複合信号を生成するマトリクス手段と、
ｍ個の指令信号にそれぞれ応答して前記ｍ個の複合信号をデータ圧縮してｍ個のデータ削減ディジタル複合信号を得るデータ圧縮手段と、
前記ｎ個のディジタル情報信号からｎ−ｍ個のディジタル情報信号を選択してｎ−ｍ個の補助信号を得る第１選択手段と、
ｎ−ｍ個の指令信号にそれぞれ応答して前記ｎ−ｍ個の補助信号をデータ圧縮してｎ−ｍ個のデータ削減補助信号を得るデータ圧縮手段と、
前記ｍ個のデータ削減複合信号と前記ｎ−ｍ個のデータ削減補助信号とを合成して伝送媒体で伝送するのに適した伝送信号にするフォーマット手段とを具える複数のディジタル情報信号を符号化する装置において、更に、
前記ｍ個の複合信号の少なくとも１つに対して少なくとも２つの隠蔽閾値を決定する手段であって、前記少なくとも２つの隠蔽閾値の各々は前記ｎ個の情報信号と前記ｍ個の複合信号とから選ばれる信号群の信号のうちの対応する信号から導出する隠蔽閾値決定手段と、
前記少なくとも２つの隠蔽閾値の群から１つの隠蔽閾値を選択する第２選択手段と、
前記選択した隠蔽閾値に応答して前記少なくとも１つの複合信号に対する指令信号を発生させる指令信号発生手段と、
を具えることを特徴とする符号化装置。
【請求項２】
前記隠蔽閾値決定手段はｎ＋ｍ個の隠蔽閾値を決定するよう構成され、前記ｎ＋ｍ個の隠蔽閾値のうちのｎ個の隠蔽閾値の各々は前記ｎ個のディジタル情報信号のうちの対応する信号から導出し、前記ｎ＋ｍ個の隠蔽閾値のうちの残りのｍ個の隠蔽閾値の各々は前記ｍ個の複合信号のうちの対応する信号から導出することを特徴とする請求項１記載の符号化装置。
【請求項３】
ｍ＝２であることを特徴とする請求項２記載の符号化装置。
【請求項４】
前記入力手段は、第１ディジタル情報信号を受信するための第１入力手段、第２ディジタル情報信号を受信するための第２入力手段、第３ディジタル情報信号を受信するための第３入力手段を具え、
前記マトリクス手段は、少なくとも前記第１、第２及び第３ディジタル情報信号から第１および第２ディジタル複合信号を生成するよう構成され、
前記データ圧縮手段は、それぞれ第１および第２指令信号に応答して、前記第１および第２複合信号をデータ圧縮して第１および第２データ削減ディジタル複合信号を得る第１および第２データ圧縮手段を具え、
前記第１選択手段は、前記ｎ個の情報信号から少なくとも１つの情報信号を選択して少なくとも第１補助信号を得るように構成され、
前記データ圧縮手段は、更に、第３指令信号に応答して前記第１補助信号をデータ圧縮して第１データ削減補助信号を得る少なくとも第３データ圧縮手段を具え、
前記隠蔽閾値決定手段は、前記第１ディジタル情報信号から第１隠蔽閾値を、前記第３ディジタル情報信号から第２隠蔽閾値を、少なくとも前記第１及び前記第３ディジタル情報信号の複合信号から第３隠蔽閾値をそれぞれ決定する少なくとも第１、第２及び第３隠蔽閾値決定手段を備え、
前記第２選択手段は、前記第３隠蔽閾値と少なくとも１つの他の隠蔽閾値とから１つの隠蔽閾値を選択して第１選択隠蔽閾値を得るよう構成され、
前記指令信号発生手段は前記第１選択隠蔽閾値に応答して前記第１指令信号を発生する第１指令信号発生手段を備える、
ことを特徴とする請求項３記載の符号化装置。
【請求項５】
前記第１選択隠蔽閾値は前記第３隠蔽閾値と前記少なくとも１つの他の隠蔽閾値のうちの最小のものを選択することを特徴とする請求項４記載の符号化装置。
【請求項６】
ｎ＝３であることを特徴とする請求項４又は５記載の符号化装置。
【請求項７】
前記隠蔽閾値決定手段は、前記第２ディジタル情報信号から第４隠蔽閾値を、前記第２及び前記第３ディジタル情報信号の複合信号から第５隠蔽閾値をそれぞれ決定する少なくとも第４及び第５隠蔽閾値決定手段を備え、更に、
前記第５隠蔽閾値と少なくとも１つの他の隠蔽閾値とから１つの隠蔽閾値を選択して第２選択隠蔽閾値を得る第３選択手段と、
前記第２選択隠蔽閾値に応答して前記第２指令信号を発生する第２指令信号発生手段とを備える、
ことを特徴とする請求項４又は５記載の符号化装置。
【請求項８】
更に第４選択手段と第３指令信号発生手段とを備え、前記第４選択手段は、前記第１補助信号から導出された隠蔽閾値を含む少なくとも２つの隠蔽閾値の群から１つの隠蔽閾値を選択して第３選択隠蔽閾値を得るよう構成され、
前記第３指令信号発生手段は、前記第３選択隠蔽閾値に応答して前記第３指令信号を発生するよう構成されている、
ことを特徴とする請求項７記載の符号化装置。
【請求項９】
第４ディジタル情報信号を受信する第４入力出力手段を更に備え、
前記第３隠蔽閾値決定手段は、少なくとも前記第１、第３および第４ディジタル情報信号の複合信号から前記第３隠蔽閾値を導出するよう構成され、前記第５隠蔽閾値決定手段は、少なくとも前記第２、第３及び第４ディジタル情報信号の複合信号から前記第５隠蔽閾値を導出するよう構成され、
前記第４ディジタル情報信号に応答して第６隠蔽閾値を決定する第６隠蔽閾値決定手段を更に備え、
前記マトリクス手段は、少なくとも前記第１、第２、第３及び第４ディジタル情報信号から第１及び第２ディジタル複合信号を生成するよう構成され、前記第１選択手段は、前記少なくとも第１〜第４情報信号から少なくとも２つの情報信号を選択して前記第１補助信号及び少なくとも第２補助信号を得るよう構成され、
第４指令信号に応答して前記第２補助信号をデータ圧縮して第２データ削減補助信号を得る第４データ圧縮手段と、前記第４指令信号を発生する第４指令信号発生手段とを更に備え、
前記フォーマット手段は、前記第１及び第２データ削減複合信号と前記少なくとも第１及び第２データ削減補助信号を伝送媒体で伝送するのに適した伝送信号に合成するよう構成されている、
ことを特徴とする請求項７記載の符号化装置。
【請求項１０】
前記第１もしくは第２もしくは第３情報信号を第１補助信号として選択した場合に、達成されるデータ削減量を計算するための計算手段をさらに備え、前記計算手段は、前記第１補助信号として選択される前記第１、第２もしくは第３情報信号のうち、達成されるデータ削減量が最大となる信号を示す選択制限信号を発生するよう構成され、前記第１選択手段が、前記選択制御信号を受信し、前記選択制御信号に応答して前記第１、第２もしくは第３情報信号の１つを選択するよう構成されている請求項４記載の符号化装置。
【請求項１１】
前記フォーマット手段は、前記選択制御信号を前記伝送信号に含めるよう構成されていることを特徴とする請求項１０記載の符号化装置。
【請求項１２】
前記伝送信号を記録媒体に書き込む着込手段を具えることを特徴とする請求項１−１１のいずれかに記載の符号化装置。
【請求項１３】
複数ｎ（ここにｎ≧３）個のディジタル情報信号を受信するステップと、
前記ｎ個のディジタル情報信号からｍ個（ここにｍ＞１）のディジタル複合信号を生成するステップと、
ｍ個の指令信号にそれぞれ応答して前記ｍ個の複合信号をデータ圧縮してｍ個のデータ削減ディジタル複合信号を得るステップと、
前記ｎ個のディジタル情報信号からｎ−ｍ個のディジタル情報信号を選択してｎ−ｍ個の補助信号を得るステップと、
ｎ−ｍ個の指令信号にそれぞれ応答して前記ｎ−ｍ個の補助信号をデータ圧縮してｎ−ｍ個のデータ削減補助信号を得るステップと、
前記ｍ個のデータ削減複合信号と前記ｎ−ｍ個のデータ削減補助信号とを伝送媒体で伝送するのに適した伝送信号に合成するステップとを備える複数のディジタル情報信号を符号化する方法において、更に、
前記ｍ個の複合信号の少なくとも１つに対して少なくとも２つの隠蔽閾値を決定するステップであって、前記少なくとも２つの隠蔽閾値の各々は前記ｎ個の情報信号と前記ｍ個の複合信号とから選ばれる信号群の信号のうちの対応する信号から導出するステップと、
前記少なくとも２つの隠蔽閾値の群から１つの隠蔽閾値を選択するステップと、
前記選択した隠蔽閾値に応答して前記少なくとも１つの複合信号に対する指令信号を発生させるステップと、
を備えることを特徴とする符号化方法。
【請求項１４】
前記伝送信号を記憶媒体に書き込むステップを更に備える請求の範囲第１３項記載の符号化方法。
【請求項１５】
当該装置は当該装置によって発生された伝送信号を識別するための識別信号を発生するように構成されている請求項１−１２のいずれかに記載の符号化装置。
【発明の詳細な説明】
本発明は、複数のデイジタル情報信号を符号化して伝送信号にする符号化装置および複数のデイジタル情報信号を符号化する方法に関するものである。巻頭文節による符号化装置は、末尾の関連文献表における文献（８）の欧州特許出願明細書ＥＰ６７８Ｐ２２６−Ａ１から知られている。
第１主信号成分（ステレオ信号の左側信号成分Ｌ）、第２主信号成分（右側信号成分Ｒ）および補助成分（中央信号成分Ｃ）を伝送する場合には、Ｌ＋ａＣに等しい第１複合信号成分Ｌ0が得られ、Ｒ＋ｂＣに等しい第２複合信号成分Ｒ0が得られるようにマトリックスが行なわれ、信号群Ｌ0，Ｒ0およびＣが伝送される。対応するデマトリックス回路を備えてない標準受信機による受信では、信号成分Ｌ0およびＲ0が２個の拡声器を介して聴取者に供給するのに用いられる。したがって、聴取者は、標準受信機しか持たないにも拘らず、Ｃ成分も同様に伝送されているように感じられる。
もっと複雑なマトリックス計画が、上述の文献（８）ともども末尾の参考文献表に示した文献（１ａ）および（１ｂ）として、テンカーテ他著の刊行物「ビットレート低減オーデイオ信号のマトリックス」ＩＣＡＳＳＰ会報、１９９２年３月２３〜２６日、サンフランシスコ、第２巻、II−２０５〜II−２０８ページともども、Ｊ．Ａ．Ｅ．Ｓ．誌、第４０巻、第５号、１９９２年５月、３７６〜３８２ページに論じられている。
かかるマトリックス計画は、４チャネル（Ｒ，Ｌ，ＣおよびＳ）信号もしくは５チャネル（Ｌ，Ｒ，Ｃ，ＬＳ，ＲＳ）信号が伝送される場合であっても、すべて、伝送信号を標準ステレオ受信機によって復号し得るものである。
信号のビットレート低減用圧縮手段が、参考文献表でそれぞれ文献（７ａ）および（７ｂ）とする欧州特許出願公開公報４５７，３９０Ａ１および４５７，３９１Ａ１に記載されている。さらに、ＭＰＥＧ−１およびＭＰＥＧ−２標準文書と呼ばれ、関連文献表で文献（９）および（１０）とする２冊のＩＳＯ／ＩＥＣ標準文書が参照される。
本発明は、複数の情報信号群を符号化するための符号化装置のさらなる改良をもたらすことを目指すものである。
本発明によれば、
第１デイジタル情報信号を受信するための第１入力手段、
第２デイジタル情報信号を受信するための第１入力手段、
第３デイジタル情報信号を受信するための第３入力手段、
少なくとも第１、第２および第３のデイジタル情報信号から第１および第２のデイジタル復号信号を発生させるためのマトリックス手段、
第１および第２の復号信号をデータ圧縮して、それぞれ、第１および第２の指令信号に応じ、第１および第２のデータ削減デイジタル複合信号を得るための第１および第２のデータ圧縮手段、
複数のｎ情報から少なくとも一つの情報信号を選択して、少なくとも第１の補助信号を得るための第１選択手段、
少なくとも第１の補助信号をデータ圧縮して、第３指令信号に応じ、第１のデータ削減した補助信号を得るための少なくとも第３のデータ圧縮手段、並びに、
第１および第２のデータ削減複合信号と少なくとも第１のデータ削減補助信号とを結合させて、伝送媒体を介する伝送に適した伝送信号とするためのフォーマット手段
を有して複数のｎデイジタル情報信号を符号化する装置において、
第１デイジタル情報信号からの第１の隠蔽閾値、第３デイジタル情報信号からの第２の隠蔽閾値および少なくとも第１と第３との情報信号の結合からの第３の隠蔽閾値をそれぞれ判定するための少なくとも第１、第２および第３の隠蔽閾値判定手段、
第３の隠蔽閾値および少なくとも一つの他の隠蔽閾値からの一つの隠蔽閾値を取出して第１の選択した隠蔽閾値を得るための第２の選択手段、並びに、
ｎを２より大きく保持した整数として、前記第１の選択した隠蔽閾値に応じて第１の情報信号を発生させるための第１の指令信号発生器手段
をさらに備えたことを特徴とする。
本発明は、つぎのような認識に基づいたものである。本発明は、後ろ向きに両立性を有し、ｎチャネルの復号を可能にするばかりでなく、ＭＰＥＧ−２およびＭＰＥＧ−１の復号器をそれぞれ用いた２チャネル復号も可能なｎチャネル符号化装置の提供を目標としている。かかる符号化装置は、少なくともと三つの信号、すなわち、左前拡声器、右前拡声器および中央拡声器に対する信号群、さらに、４チャネル信号の場合の周囲信号成分、さらに、５チャネル信号の場合の左後（周囲）拡声器に対する左周囲信号および右後（周囲）拡声器に対する右周囲信号の符号化を意途したものである。この符号化は、標準ステレオ復号器による復号の結果が両立性ステレオ信号の発生となるようにして実現されなければならない。
復号期間中、時にはノイズ成分が聞えるようになる。調査の結果、かかるノイズ成分は、符号化器におけるマトリクス過程と復号器において対応するデマトリックス過程との故に聞えるようになることが認められた。特に、量子化ノイズから生じたノイズ成分は、最早、これ以上隠蔽することができない。この問題は、量子化の過程を操り、制御するのに別の隠蔽された閾値を選択することによって解決することができる。特に、情報信号の符号化期間中、問題の情報信号がデータ削減を受けるべき隠蔽閾値について選択がなされる。その選択は、少なくとも二つの隠蔽閾値の間で行なわれる。データ圧縮されるべき各信号については、少なくとも二つの隠蔽閾値の一つは、データ圧縮されるべき情報信号自身から取出した隠蔽閾値であり、他の一つは、他の情報信号から取出した隠蔽閾値であることが言える。
このようにして、符号化と引続く復号とは、復号に際し、両立性の信号の複製ともども、もとの信号の復製も、何ら聞える程度の量子化ノイズを伴わないようにして実現することができる。
本発明のかかる面は、つぎの図面の説明による実施例から明らかであり、その実施例を参照してさらに明らかになろう。
図１は、３チャネル情報信号を符号化するための、本発明による符号化装置の第１実施例の一部を示すブロック線図である。
図２は、図１の符号化装置の他の一部を示すブロック線図である。
図３は、図１および図２の符号化装置によって得られた伝送信号を復号するための復号装置を示すブロック線図である。
図４は、図１および図２の符号装置の変形例を示すブロック線図である。
図５は、図１および図２の符号化装置の他の変形例を示すブロック線図である。
図６は、図１および図２の符号化装置の他の変形例を示すブロック線図である。
図７は、４チャネル情報信号を符号化するための、本発明による符号化装置の第２実施例の一部を示すブロック線図である。
図８は、図７の符号化装置の他の一部を示すブロク線図である。
図９は、４チャネル情報信号を符号化するための符号化装置の他の実施例を示すブロック線図である。
図１０は、５チャネル情報信号を符号化するための符号化装置の一部を示すブロック線図である。
図１１は、図１０の符号化装置の他の一部を示すブロック線図である。
図１２は、記録装置に含まれる符号化装置を示すブロック線図である。
Ｉ  ３チャネル符号化装置
図１および図２は、３チャネル・オーディオ信号の左側信号成分（Ｌ）、右側信号成分（Ｒ）および中央信号成分（Ｃ）を備えるようにした３チャネル情報信号を符号化するための符号化装置の第１実施例の一部をそれぞれ示したものである。この符号化装置は、第１情報信号成分（Ｌ）を受信するための第１入力端子１、第２情報信号成分（Ｒ）を受信するための第２入力端子２および第３情報信号成分（Ｃ）を受信するための第３入力端子３を備えている。３入力端子１，２および３は、それぞれ、マトリックス・ユニット１０の対応する入力に結合している。マトリックス・ユニット１０は、第１復号信号Ｌ0および第２復号信号Ｒ0を供給するための２出力１２および１４を有している。複合信号群は、信号Ｌ，ＲおよびＣとつぎの関係を有している。
Ｌ0 ＝Ｌ＋ａ・Ｃ          （式１ａ）
Ｒ0 ＝Ｒ＋ｂ・Ｃ          （式１ｂ）
ここに、ａおよびｂは、ともに、１より小さいか、１に等しく保った定数である。差当り、ａ＝ｂ＝１とする。
各入力端子は第１選択ユニット１６の各入力にもそれぞれ結合している。この選択ユニット１６は、端子１８に印加された選択信号の影響のもとに、入力群に印加された信号群の１つを選択し、その選択した信号を、第１補助信号ＡＵＸ1として出力２０に供給する。３データ圧縮ユニット２２．１，２２．２および２２．３は、信号Ｌ0，Ｒ0およびＡＵＸ1に対してデータ圧縮過程を実行するためにそれぞれ設けられている。データ圧縮ユニット２２．１および２２．２は、マトリックス・ユニット１０の出力１２および１４に結合した入力を有し、データ圧縮ユニット２２．３は、選択ユニット１６の出力に結合した入力を有している。データ圧縮ユニット２２．１，２２．２および２２．３の各出力は、信号結合ユニット２４の対応する各入力にそれぞれ結合している。
信号結合ユニット２４は、データ圧縮ユニット２２．１，２２．２および２２．３によって供給されたデータ圧縮信号群を互いに結合させて直列データ流にする。そのデータ流にエラー訂正符号化およびチャネル符号化を実施して、伝送媒体ＴＲＭを介する伝送に適した伝送信号を得ることができる。その伝送媒体は、磁気的もしくは光学的記録担体のような記録担体の形に、あるいは、デイジタル・オーディオ放送チャネル（ＤＡＢ）のような任意の他の伝送媒体にすることができる。
関連文献表の文献（５）には、直列データ流をチャネル符号化して伝送信号を得る一つの方法が記録されている。好ましくは、文献（９）および（１０）に与えられたＩＳＯ／ＩＥＣ標準に準拠する。
従来技術の出版物には、ユニット群２２．１，２２．２および２２．３のようなデータ圧縮ユニットに供給された信号に対し、データ圧縮過程を実施する方策が記載してある。かかるデータ圧縮技術の一つは、ＭＰＥＧ−１、ＭＰＥＧ−２およびＤＡＢに適用されるのと同様の副帯域符号化データ圧縮技術である。副帯域符号化データ圧縮技術を記載した文献は、各文献（３），（４），（６），（７ａ），（７ｂ），（９）および（１０）である。２つのデータ圧縮技術においては、隠蔽閾値以下の信号成分が、データ圧縮を実施する一方策とて、外される。データ圧縮ユニット２２．１，２２．２および２２．３内のデータ圧縮は、図に示したように、それぞれ指令信号ｉｓ1，ｉｓ2およびｉｓ3に応じて実現される。かかる指令信号は、以下で検討すべき隠蔽閾値から取出される。
この装置は、さらに、２６．１乃至２６．５と表示する５個の隠蔽閾値判定ユニットを備えている。隠蔽閾値判定ユニット２６．１は、第１情報信号Ｌを受信して、それから隠蔽閾値を取出し、第１隠蔽閾値ｍｔLとしてその隠蔽閾値を出力に供給する。隠蔽閾値判定ユニット２６．２は、第２情報信号Ｒを受信して、それから隠蔽閾値を取出し、その隠蔽閾値を第２隠蔽閾値ｍｔRとして出力に供給する。隠蔽閾値判定手段２６．３は、第３情報信号Ｃを受信して、それから隠蔽閾値を取出し、その隠蔽閾値を第３隠蔽閾値ｍｔCとして出力に供給する。隠蔽閾値判定手段２６．４は、第１複合信号Ｌ0を受信して、それから隠蔽閾値を取出し、その隠蔽閾値を第４隠蔽閾値ｍｔL0として出力に供給する。隠蔽閾値判定手段２６．５は、第２複合信号Ｒ0を受信して、それから隠蔽閾値を取出し、その隠蔽閾値を第５隠蔽閾値ｍｔR0として出力に供給する。
それぞれユニット２６．４および２６．５における隠蔽閾値ｍｔL0およびｍｔR0の取出しについて、一つの付加的所見をここで提示しなければならない。図２に見られるように、隠蔽閾値判定ユニット２６．４および２６．５に対する入力信号は、マトリックス・ユニット１０の出力１２および１４からそれぞれ取出されたのではなく、別々に、Ｌ0を取出すようにＬとＣとを結合させ、Ｒ0を取出すようにＲとＣとを結合させることによって取出された。情勢１ａについて後述する実施例においては、ユニット２６．４および２６．５の入力をマトリックス・ユニット１０の入力１２および１４にそれぞれ直接に係合させておくことができた。情勢１ｂについて後述する他の実施例においては、マトリックスに先立ち、補助信号ａｕｘ1に対して先行量子化と引続く量子化復元とが行なわれるので、隠蔽閾値ｍｔL0およびｍｔR0は、Ｌ，ＲおよびＣの原型から取出され、かかる信号の一つの量子化先行および量子化復元の型から取出されたのではない。
この装置は、さらに、３選択ユニット２８．１，２８．２および２８．３を備えている。選択ユニット２８．１は、複数の隠蔽閾値をその入力に受信して、それから第１の選択した隠蔽閾値ｍｔ1を取出す。好ましくは、選択ユニット２８．１は、かかる複数の隠蔽閾値の一つを第１の選択した隠蔽閾値ｍｔ1としてその出力に供給する。選択ユニット２８．２は、複数の隠蔽閾値をその入力に受信して、それから第２の選択した隠蔽閾値ｍｔ2を取出す。好ましくは、選択ユニット２８．２は、かかる複数の隠蔽閾値の一つを第２の選択した隠蔽閾値ｍｔ2としてその出力に供給する。選択ユニット２８．３は、複数の隠蔽閾値をその入力に受信して、それから第３の選択した隠蔽閾値ｍｔ3を取出す。好ましくは、選択ユニット２８．３は、かかる複数の隠蔽閾値の一つを第３の選択した隠蔽閾値ｍｔ3としてその出力に供給する。
選択ユニット２８．１，２８．２および２８．３の各出力は、指令信号発生器ユニット３０．１，３０．２および３０．３の各対応する入力にそれぞれ係合している。各指令信号発生器ユニット３０．ｉ（ｉは１乃至３になる）は、その入力に供給された選択隠蔽閾値に応じて指令信号を発生させる。特に、指令信号発生器ユニット３０．１は、信号Ｌ0と選択ユニット２８．１が供給する隠蔽閾値との間の信号対隠蔽比を計算して、引続き、従来技術で周知の方策で、それからビット割当て情報を取出す。このビット割当て情報は、データ圧縮ユニット２２．１で信号Ｌ0を量子化するのに用いられる。同様にして、指令信号発生器ユニット３０．２は、信号Ｒ0と選択ユニット２８．２が供給する隠蔽閾値との間の信号対隠蔽比を計算して、引続き、それからビット割当て情報を取出す。このビット割当て情報は、データ圧縮ユニット２２．２で信号Ｒ0を量子化するのに用いられる。同様にして、指令信号発生器ユニット３０．３は、信号ＡＵＸ1と選択ユニット２８．３が供給する隠蔽閾値との間の信号対隠蔽比を計算して、引続き、それからビット割当て情報を取出す。このビット割当て情報は、データ圧縮ユニット２２．３で信号ＡＵＸ1を量子化するのに用いられる。
３入力信号中補助信号となるものの選択ユニット１６における選択は、得られるデータ圧縮の量に基づいている。これは、参考文献（２）および（８）のような種々の従来の文献に記載されている。第１補助信号選択の一方策は、つぎの要求に基づいている。３信号Ｌ，ＲおよびＣのうち、データ圧縮ユニット２２．１，２２．２および２２．３で達成されるべき最高データ圧縮比となる一つの信号が、補助信号ＡＵＸ1として選択される。したがって、この装置が、上述の要求に従い、選択ユニット１６に対する選択制御信号ｔｃａを発生させる計算ユニット３２を備えていることは明らかであろう。
選択ユニット２８．１２８．２および２８．３における隠蔽閾値の取出しを説明する前に、３チャネル情報信号を復号する復号器装置を説明しよう。
図３は、図１および図２の送信機により伝送媒体ＴＲＭを介して伝送される圧縮された信号群を受信して復号する復号器を示すものである。
連続データ流が多重復元器４１の入力４０に印加されて、連続データ流の情報は、信号Ｌ0のもとの量子化されたサンプル群に分割されて出力４３に印加され、信号Ｒ0のもとの量子化されたサンプル群に分割されて出力１０１に印加され、伝送された第１補助信号ＡＵＸ1のもとの量子化されたサンプル群、すなわち、量子化されたＬ，Ｒ，Ｃいずれかの信号のサンプル群に分割されて出力４４に印加される。第１、第２および第３の指令信号は、同様に伝送されて、多重復元器ユニット４１により連続データ流から回収される。第１指令信号ｉｓ1は出力４２に印加され、第２指令信号ｉｓ2は出力１０２に印加され、さらに、第３指令信号ｉｓ3は出力４５に印加される。各出力４３，４４および１０１は、それぞれ、データ拡張ユニット（量子化復元器）４８，４９および５０の各信号入力に係合している。各出力４２，４５および１０２は、それぞれ、量子化器４８，４９および５０の各制御信号入力に係合して、各指令信号が各量子化復元器に印加され得るようにする。量子化復元器４８は信号Ｌ0の複製Ｌ0′を発生させて、出力５１に供給する。量子化復元器５０は、信号成分Ｒ0の複製Ｒ0′を発生させて、出力５３に供給する。量子化復元器４９は、量子化した第１補助信号ＡＵＸ1の複製ＡＵＸ1′を発生させて、出力５２に供給する。各出力５１，５２および５３は、それぞれ、マトリックス復元ユニット５７の各入力５５，５６および５８に係合している。
多重復元手段４１は、図１を参照して記載されたｔｃａ制御と等価の制御信号を供給するための追加の出力１２０を有している。マトリックス復元ユニット５７は、多重復元器手段４１の出力１２０に係合した追加の制御信号入力１２１を有している。制御信号入力１２１に印加された制御信号ｔｃａが第１値を有している場合、これは、マトリックス復元ユニット５７の入力５６に印加された信号がＣ信号の複製であることを意味する。その場合、マトリックス復元ユニット５７は、Ｌ信号およびＲ信号の各複製が、それぞれ、各出力１０５および１０６に、したがって、端子６０および１２５に印加されるように作用する。制御信号入力１２１に印加された制御信号ｔｃａが第２値を有している場合、これは、マトリックス復元ユニット５７の入力５６に印加された信号がＬ信号の複製であることを意味する。その場合、マトリックス復元ユニット５７は、Ｃ信号およびＲ信号の各複製が、それぞれ、出力１０５および１０６に、したがって、端子６０および１２５に印加されるように作用する。制御信号入力１２１に印加された制御信号ｔｃａが第３値を有している場合、これは、マトリックス復元ユニット５７の入力５６に印加された信号がＲ信号の複製であることを意味する。その場合、マトリックス復元ユニット５７は、Ｌ信号およびＣ信号の各複製が、それぞれ、端子６０および１２５に印加されるように作用する。
受信機は、さらに、スイッチ７７，１２３および７８′を備えた制御可能のスイッチ・ユニット１２２を備えている。そのスイッチ手段１２２に印加された第１値のｔｃａ制御信号に応じて、スイッチ７７は位置ａ−ｂに切換えられ、スイッチ１２３は位置ａ−ｂに切換えられ、スイッチ７８′は位置ｂ−ｄに切換えられるので、複製Ｌ′，Ｒ′およびＣ′は、それぞれ端子１２６，１２７および１２８に印加される。スイッチ手段１２２に印加された第２値のｔｃａ制御信号に応じて、スイッチ７７は位置ｃ−ｂに切換えられ、スイッチ１２３は位置ａ−ｂに切換えられ、スイッチ７８′は位置ａ−ｄに切換えられるので、複製Ｌ′，Ｒ′およびＣ′は、それぞれ端子１２６，１２７および１２８に再び印加される。スイッチ手段１２２に印加された第３値のｔｃａ制御信号に応じて、スイッチ７７は位置ａ−ｂに切換えられ、スイッチ１２３は位置ｃ−ｂに切換えられ、スイッチ７８′は位置ｃ−ｄに切換えられるので、複製Ｌ′，Ｒ′およびＣ′は、それぞれ端子１２６，１２７および１２８に再び印加される。
３チャネル情報信号は、図１および図２の符号化装置で、後ろ向きに両立性があるようにして、伝送信号に符号化されている。これは、従来技術のステレオ復号器も、伝送信号を２チャネル・ステレオ音声信号に復号し得ることを意味する。かかる復号器のみが、第１および第２のデータ圧縮した復号信号Ｌ0およびＲ0を伝送信号から回収し、各複製Ｌ0′およびＲ0′にデータ拡張し、室内のステレオ設定に配置した２個の拡声器に供給する。
複製Ｌ0′およびＲ0′は、つぎの等式を満足する。
Ｌ0 ′＝Ｌ0＋ＮL0          （式２ａ）
Ｒ0 ′＝Ｒ0＋ＮR0          （式２ｂ）
ここに、ＮL0は、隠蔽閾値ｍｔ1から取出した指令信号ｉｓ1を用いて信号Ｌ0をデータ圧縮することによって導入された量子化ノイズであり、ＮR0は、隠蔽閾値ｍｔ2から取出した指令信号ｉｓ2を用いて信号Ｒ0をデータ圧縮することによって導入された量子化ノイズである。ノイズ成分ＮL0は信号Ｌ0によって隠蔽され、ノイズ成分ＮR0は信号Ｒ0によって隠蔽されるので、信号Ｌ0′およびＲ0′内の量子化ノイズは聞えない。
信号Ｌ，ＲおよびＣを回復させる様子を眺めてみよう。
いま、ａｕｘ1＝Ｃもしくはｔｃａ＝０と仮定する。したがって、
Ｃ′＝ａｕｘ1′＝Ｃ＋ＮC
ＮCは、隠蔽閾値ｍｔ3から取出した指令信号ｉｓ3を用いて信号Ｃをデータ圧縮することにより導入した量子化ノイズである。ノイズ成分ＮCは信号Ｃによって隠蔽されるので、信号Ｃ′内の量子化ノイズは聞えない。
各信号ＬおよびＲは、つぎのようにして回収される。
Ｌ′＝Ｌ0 ′−Ｃ′＝Ｌ＋ＮL0・ＮC
Ｒ′＝Ｒ0 ′−Ｃ′＝Ｒ＋ＮR0・ＮC
Ｌ0内のＣに対応する信号部分は除去される。しかしながら、一般にＮL0およびＮCが無相関であるので、ＮL0内のＮCに対応する部分が残り、実際にはレベルが２倍になる。その結果として、部分（ＮC）は、Ｌ′内で聞えるようになる。同じ論法が、Ｒ′内のＮCの振舞いに対しても有効である。
これに打勝つために、選択ユニット２８．１，２８．２および２８．３が符号化装置に設けられている。
今度は、隠蔽閾値の選択を充分詳細に説明しよう。選択ユニット２８．ｉ内で一つの隠蔽閾値を選択すべき隠蔽閾値の群は、起り得る種々の状態で異なり得ることは、ここですでに留意されるべきである。就中、隠蔽閾値の群は、補助信号ＡＵＸ1として３信号のうちのいずれが選ばれているかに依っている。
Ｉａ
つぎの表１は、三つのｔｃａ値ｔｃａ＝０，ｔｃａ＝１およびｔｃａ＝２によって示され、それぞれ信号Ｃ，ＬおよびＲとなる補助信号ＡＵＸ1に対する選択を示す三つの状態を示したものである。補助信号としてＣが選択された場合、信号ＬおよびＲは、それぞれ、第１および第２の主信号Ｍ1およびＭ2として表示される。補助信号としてＬが選択された場合、信号ＣおよびＲは、それぞれ、第１および第２の主信号Ｍ1およびＭ2として表示される。補助信号としてＲが選択れた場合、信号ＬおよびＣは、それぞれ、第１および第２の主信号Ｍ1およびＭ2として表示される。
0003948752.tif 000002
まず、計算ユニット３２は、信号Ｃが補助信号ＡＵＸ1として選択されるべきである、と設定しているものと仮定する。
したがって、ｔｃａ＝０
選択ユニット２８．１は、いま、ｍｔL0およびｍｔLとする二つの隠蔽閾値の群から最小の隠蔽閾値を選択するものとする。選択ユニット２８．２は、いま、ｍｔR0およびｍｔRとする二つの隠蔽閾値の群から最小の隠蔽閾値を選択するものとする。
選択ユニット２８．３は、ｍｔL，ｍｔRおよびｍｔCとする三つの隠蔽閾値の群から最小の隠蔽閾値を選択する。
Ｌ0をデータ圧縮するためには、隠蔽閾値ｍｔL0およびｍｔLのうちの最小のものが選ばれるので、これは、復号の際に再生された信号Ｌ0′では量子化ノイズは聞えないことを意味する。同様にして、隠蔽閾値ｍｔR0およびｍｔRのうちの最小のものがＲ0をデータ圧縮するのに選ばれるので、これは、復号の際に再生されたＲ0′で量子化ノイズは聞えないことを意味する。また同様にして、隠蔽閾値ｍｔC，ｍｔLおよびｍｔRのうちの最小のものがＣをデータ圧縮するのに選ばれるので、これは、復号の際に再生されたＣ′では量子化ノイズは聞えないことを意味する。
上述したように、Ｌ′＝Ｌ0′−Ｃ′＝Ｌ＋ＮL0−ＮC・ＮL0は、隠蔽閾値ｍｔL0およびｍｔLのうちの最小のものである隠蔽閾値ｍｔ1により隠蔽される。その結果として、ＮL0は信号Ｌによって隠蔽される。ＮCは、隠蔽閾値ｍｔC，ｍｔRおよびｍｔLのうちの最小のものである隠蔽閾値ｍｔ3により隠蔽される。その結果として、ＮCも信号Ｌによって隠蔽される。
等価の理由が信号Ｒ′に適用される。その結果として、復号器で再生される信号のすべてが量子化ノイズから解放されることになる。
いま、ｔｃａ＝１と仮定する。今度は、選択ユニット２８．１が、いまはｍｔL0，ｍｔRおよびｍｔCとなる三つの隠蔽閾値の群から最小の隠蔽閾値を選択する。選択ユニット２８．２は、今度は、再びｍｔR0およびｍｔRとなる二つの隠蔽閾値の群から最小の隠蔽閾値を選択する。
選択ユニット２８．３が、いまはｍｔL，ｍｔRおよびｍｔCとなる三つの隠蔽閾値の群から最小の隠蔽閾値を選択する。
Ｌ0およびＲ0における量子化ノイズは、ｔｃａ＝０について上述したのと同じ理由で聞こえなくなる。信号ａｕｘ1については、ａｕｘ1＝Ｌ′＝Ｌ＋ＮLの等しき保持される。ＮLは、ｍｔLおよびｍｔRのうちの最小のものとなる隠蔽閾値ｍｔ3によって隠蔽される。その結果として、ＮLは、ｍｔLによって隠蔽されるので、聞えなくなる。
再度信号Ｃ′については、つぎの式が成立つ。
Ｃ′＝Ｌ0′−Ｌ′＝Ｃ十ＮL0−ＮL
ＮL0は、隠蔽閾値ｍｔL0，ｍｔRおよびｍｔCのうちの最小のものとなるｍｔ1によって隠蔽される。したがって、ＮL0は、Ｃによっても隠蔽される。ＮLは、隠蔽閾値ｍｔL，ｍｔCおよびｍｔRのうちの最小のものとなるｍｔ3によって隠蔽される。したがって、ＮLはＣによっても隠蔽される。その結果として、Ｃ′は、聞える量子化ノイズから解放されることになる。
再生された信号Ｒ′については、つぎの式が成立つ。
Ｒ′＝Ｒ0′−Ｃ′＝Ｒ＋ＮR0−ＮL0＋ＮL
ＮR0は、隠蔽閾値ｍｔR0およびｍｔRのうちの最小のものとなるｍｔ2によって隠蔽される。したがって、ＮR0はＲによっても隠蔽される。ＮR0は、隠蔽閾値ｍｔL0，ｍｔCおよびｍｔRのうちの最小のものとなるｍｔ1によって隠蔽される。したがって、ＮL0はＲによっても隠蔽される。ＮLは、隠蔽閾値ｍｔL，ｍｔCおよびｍｔRのうちの最小のものとなるｍｔ3によって隠蔽される。したがって、ＮLはＲによっても隠蔽される。その結果として、Ｒ′は、聞える量子化ノイズから解放されることになる。
いま、ｔｃａ＝２と仮定する。今度は、選択ユニット２８．１は、今度は、再びｍｔL0およびｍｔLとなる二つの隠蔽閾値の群から最小の隠蔽閾値を選択する。選択ユニット２８．２は、今度は、ｍｔR0，ｍｔLおよびｍｔCとなる二つの隠蔽閾値の群から最小の隠蔽閾値を選択する。
選択ユニット２８．３は、今度は、ｍｔL，ｍｔRおよびｍｔCとなる三つの隠蔽閾値の群から最小の隠蔽閾値を選択する。
信号は、すべて、聞える量子化ノイズから解放される、という説明からは、つぎの理由で控えられる。状態ｔｃａ＝２は、ＲとＬ、Ｌ0とＲ0およびｍｔ1とｍｔ2をそれぞれ交換した場合には、状態ｔｃａ＝１から得られる。したがって、ｔｃａ＝１について上述したのと等価の理由が、ｔｃａ＝２に対しても、再生信号が、すべて、聞える量子化ノイズから解放されることを証明するのに有効である。
Ｉｂ
上述したところでは、マトリックスに先立ち、第１補助信号ＡＵＸ1には先行量子化も引続く量子化復元も行なわれていないものと仮定して来た。マトリックスに先立つ補助信号の先行量子化および引続く量子化復元は、種々の従来技術文献に記載されていて、その結果は、ビット要求の大きい節約となっていた。この点で、関連文献表の文献（２）および（８）を参照する。
特に、図４は、補助信号ＡＵＸ1にかかる先行量子化および引続く量子化復元を施す符号化装置の実施例を模式的に開示したものである。図４に見られるように、符号化装置は、さらに、データ圧縮ユニット２２．３の出力に係合した入力を有するデータ拡張ユニット７を備えており、データ圧縮ユニット２２．３では、データ圧縮した補助信号ＡＵＸ1を拡張して、補助信号の複製ＡＵＸ1′を得るようにする。さらにスイッチ・ユニット１１１はマトリックス過程を実行するのに必要な信号をすべてマトリックス・ユニット１０′に提供する必要がある。スイッチ・ユニット１１１は、ｔｃａ制御信号によって制御されたスイッチ７０および１１０を備えている。さらに、マトリックス・ユニット１０′は、今度は、制御信号ｔｃａの受信を必要とする。
ｔｃａ＝０に対して、スイッチ７０および１１０は、ａ−ｂの位置にある。ｔｃａ＝１に対して、スイッチ７０はｂ−ｃの位置にあり、スイッチ１１０は、ａ−ｂの位置にある。ｔｃａ＝３に対して、スイッチ７０はａ−ｂの位置にあり、スイッチ１１０は、ｂ−ｃの位置にある。マトリックス・ユニット１０′は、今度は、量子化され、引続いて量子化復元された補助信号の成分を復号信号が備えていることを示すＬP0およびＲP0で表わされる複合信号を備えている。さらに、上述したように、図２に与えられた隠蔽閾値ｍｔL0およびｍｔR0は、もとの信号群から取出される。そこで、補助信号として選択された信号の量子化され、引続き、量子化復元された形態は、隠蔽閾値ｍｔL0およびｍｔR0を得るのには用いられていない。
図４の符号化装置の実施例については、上述した選択のいくつかが変化するであろう。
特に、ｔｃａ＝０については、選択ユニット２８．１および２８．２における選択は、状態Ｉａおよびｔｃａ＝０について上述したのと同じままである。しかしながら、選択ユニット２８．３は、ｍｔL0，ｍｔR0およびｍｔCとなる三つの隠蔽閾値の群から最小の隠蔽閾値を選択する。
再度、復号器で再生し得る信号全部の複製が聞える量子化ノイズから解放されるであろうことが示されている。
ＬP0′で示される信号ＬP0の再生した複製は、図３を参照して、量子化ノイズ成分ＮL0が、データ圧縮ユニット２２．１におけるＬP0の量子化およびデータ拡張器４８における引続く拡張から生ずる場合には、つぎの式ＬP0′＝ＬP0＋ＮL0を満足する。さらに、量子化ノイズ成分ＮCが、図４を参照して、データ圧縮ユニット２２．３における信号Ｃの量子化およびデータ拡張器７における引続くデータ拡張から生ずる場合には、ＬP0はつぎの式ＬP0＝Ｌ＋Ｃ＋ＮCを満足する。したがって、
ＬP0′＝Ｌ＋Ｃ＋ＮC＋ＮL0  もしくは  ＬP0′＝Ｌ0＋ＮC＋ＮL0
ＮL0は、ｍｔL0およびｍｔLのうちの最小のものとなるｍｔ1から生ずる。したがって、ＮL0はＬ0によって隠蔽される。ＮCは、ｍｔC，ｍｔL0およびｍｔR0のうちの最小のものとなるｍｔ3から生ずる。したがってＮCは、またＬ0によって隠蔽される。あるいは、ＬP0′は、聞える量子化ノイズから解放されている。等価の論法がＲP0′に対しても支持される。
複製Ｃ′はＣ＋ＮCに等しい。上述したように、ＮCは、ｍｔC，ｍｔL0およびｍｔR0のうちの最小のものとなるｍｔ3から生ずる。
したがって、ＮCはＣによって隠蔽され、Ｃはこのようにして聞える量子化ノイズから解放される。
複製Ｌ′はＬ′＝Ｌ＋ＮL0に等しいつぎの式Ｌ′＝ＬP0′−Ｃ′を満足する。上述したように、ＮL0は、ｍｔL0およびｍｔLのうちの最小のものとなるｍｔ1から生ずる。したがって、ＮL0はＬによって隠蔽され、Ｌ′は聞える量子化ノイズから解放される。
ｔｃａ＝１に対して、選択ユニット２８．１および２８．２における選択は、状態Ｉａおよびｔｃａ＝１について上述したのと同じままとなる。しかしながら、選択ユニット２８．３は、今度は、ｍｔLおよびｍｔL0となる二つの隠蔽閾値の一群から最小の隠蔽閾値を選択する。
さらなる説明は加えない。しかし、上述したのと等価の論法を用いることは、再生した信号が、すべて、聞える量子化ノイズから解放されることを示せば、可能である。
ｔｃａ＝２に対し、選択ユニット２８．１および２８．２における選択は、状態Ｉａおよびｔｃａ＝２について上述したのと同じままとなる。しかしながら、選択ユニット２８．３は、今度は、ｍｔRおよびｍｔR0となる二つの隠蔽閾値の群から最小の隠蔽閾値を選択する。
Ｉｃ
ｔｃａ＝０の場合におけるさらなる変体は、マトリックス・ユニット１０においてつぎの態様で二つの複合信号を取出すことである。
ＬP0＝Ｌ＋ＣP0        （式３ａ）
Ｒ0 ＝Ｒ＋Ｃ          （式３ｂ）
これは、Ｒ0がもとの信号Ｃから取出されるのに対し、Ｃの先行量子化され、引続き量子化復元された形態であるＣPdからＬP0が取出されることを意味する。
ｔｃａ＝０に対し、選択ユニット２８．１および２８．２における選択は、状態Ｉａおよびｔｃａ＝０について上述したところと同じままである。しかしながら、選択ユニット２８．３は、今度は、ｍｔL0，ｍｔRおよびｍｔCとなる三つの隠蔽閾値の群から最小の隠蔽閾値を選択する。
Ｉｄ
再度、ｔｃａ＝０の場合の他の変体は、マトリックス・ユニット１０においてつぎのようにして複合信号を取出すことである。
Ｌ0 ＝Ｌ＋Ｃ              （式４ａ）
Ｒp0＝Ｒ＋Ｃpd            （式４ｂ）
これは、Ｌ0がもとの信号Ｃから取出されるのに対し、Ｃの先行量子化され、引続き量子化復元された形態であるＣpdからＲp0が取出されることを意味する。
ｔｃａ＝０に対し、選択ユニット２８．１および２８．２における選択は、再び、状態Ｉａおよびｔｃａ＝０について上述したのと同じままである。しかしながら、選択ユニット２８．３は、今度は、ｍｔL，ｍｔR0およびｍｔCとなる三つの隠蔽閾値の群から最小の隠蔽閾値を選択する。
Ｉｅ
ｔｃａ＝１が選ばれた場合は、第２複合信号Ｒ0に補償を施すことが、従来技術の文献、関連文献表の文献（８）から知られている。これは図５に示してある。また、この点で、文献（８）の図１１および対応する記載を参照する。
この状態では、選択ユニット２８．１は、今度は、ｍｔL0，ｍｔR0およびｍｔCとなる三つの隠蔽閾値の群から最小の隠蔽閾値を選択する。
Ｉｆ
ｔｃａ＝２が選ばれた場合には、第１複合信号Ｌ0に補償を施すことが、従来技術の文献、関連文献表の文献（８）から知られている。これは図６に示してある。また、文献（８）の図１２および対応する記載をこの点について参照する。
この状態では、選択ユニット２８．２は、今度は、ｍｔL0，ｍｔR0およびｍｔCとなる三つの隠蔽閾値の群から最小の隠蔽閾値を選択する。
表２は、上述した状態に対する三つの選択ユニット２８．１，２８．２および２８．３における隠蔽閾値の選択をすべて備えている。
0003948752.tif 000003
ここで、状態Ｉｂ乃至Ｉｆについて表２に満されていない位置の隠蔽閾値は、状態Ｉａにおいて対応する位置に満されている隠蔽閾値と同一である。さらに、状態ＩｂとＩｅと（もしくは状態ＩｂとＩｆと）を結びつける場合には、Ｉｅ（もしくはＩｆ）のもとで与えられた選択は、Ｉｂに与えられた選択と取り換えるべきである。
表２からは、選択ユニット２８．１が選択に対して少なくとも隠蔽閾値ｍｔL与およびｍｔL0を必要とすることが明らかである。さらに、状態Ｉａおよびｔｃａ＝１においてはｍｔCおよびｍｔRも選択を実行するのに必要である。さらに、装置が図５に示す回路を備えている場合には、それは状態Ｉｅおよびｔｃａ＝１であり、そのうえに、選択を実行するのにｍｔR0も必要である。したがって、図２は、隠蔽閾値判定ユニット２６．１乃至２６．５の各出力と選択ユニット２８．１との間の接続を模式的に示している。問題の符号化装置の実施例により、すなわち、図表に示した状態により、表に示した隠蔽閾値が選択ユニット２８．１に供給される。
選択ユニット２８．２が、選択を実施するのに少なくとも隠蔽閾値ｍｔRおよびｍｔR0も必要とすることは、表２からさらに明らかである。さらに、状態Ｉａおよびｔｃａ＝２においては、選択を行なうのにｍｔLおよびｍｔCも必要である。そのうえに、装置が図６に示す回路を備えている場合には、それは状態Ｉｆおよびｔｃａ＝２である。そのうえに、隠蔽閾値ｍｔL0も必要である。したがって、図２は、隠蔽閾値判定ユニット２６．１乃至２６．５の各出力と選択ユニット２８．２との間の接続を模式的に示している。問題の符号化装置の実施例により、すなわち、図表に示した状態により、表に示した隠蔽閾値が選択ユニット２８．２に供給される。
同様にして、図２は、隠蔽閾値判定ユニット２６．１乃至２６．５の各出力と選択ユニット２８．３との間の接続を模式的に示している。問題の符号化装置の実施例により、すなわち、表に示された状態により、表に示した隠蔽閾値が選択ユニット２８．３に供給される。
II．４チャネル符号化装置
図７および図８は、左側信号成分（Ｌ）、右側信号成分（Ｒ）、中央信号成分（Ｃ）および周囲信号成分（Ｓ）を備えた４チャネル・オーディオ信号のような４チャネル情報信号を符号化するための符号化装置の実施例を示すものである。その符号化装置は、図１および図２の符号化装置との著しい類似を示している。図１および図２を参照してすでに論じた要素類とは別に、図７および図８の実施例は、周囲信号Ｓの形の第４情報信号を受信するための第４入力端子４を備えている。その入力端子４は、マトリックス・ユニット１０．２の対応する入力に係合している。マトリックス・ユニット１０．２は、第１複合信号Ｌ0および第２複合信号Ｒ0を供給するための２出力１２および１４を有している。かかる複合信号は、信号群Ｌ，Ｒ，ＣおよびＳとつぎの関係を有している。
Ｌ0 ＝Ｌ＋ａ．Ｃ＋ｄ．Ｓ        （式５ａ）
Ｒ0 ＝Ｒ＋ｂ．Ｃ＋ｆ．Ｓ        （式５ｂ）
ここに、ａ，ｂ，ｄおよびｆは、すべて１より小さいか、１に等しく保持した定数である。差当り、ａ＝ｂ＝ｄ＝ｆ＝１と仮定する。
入力端子４は、第１選択ユニット１６．１の対応する入力にも係合している。この選択ユニット１６．１は、端子１８に印加された選択信号ｔｃａ′の影響のもとに、その４入力に印加された信号群中の二つを選択し、それぞれ第１および第２の補助信号ＡＵＸ1およびＡＵＸ2として選択した信号をその出力２０．１および２０．２にそれぞれ供給する。第４データ圧縮ユニット２２．４は、信号ＡＵＸ2にデータ圧縮段階を施すために設けられている。データ圧縮ユニット２２．３は、選択ユニット１６．１の出力２０．１に係合した入力を有し、データ圧縮ユニット２２．４は、選択ユニット１６．１の出力２０．２に係合した入力を有している。４データ圧縮ユニット２２．１乃至２２．４の各出力は、信号結合ユニット２４．１の対応する入力群に係合している。
信号結合ユニット２４．１は、データ圧縮ユニット群２２．１，２２．２，２２．３および２２．４によって供給されたデータ圧縮信号群を上述したのと同様にして、直列データ流に結合させる。
本装置は、２６．１乃至２６．６と表わした６隠蔽閾値判定ユニット群を備えている。隠蔽閾値判定ユニット群２６．１乃至２６．３は、図１および図２を参照して前述した３隠蔽閾値判定ユニット２６．１乃至２６．３と同一である。第４隠蔽閾値判定ユニット２６．４は、信号群Ｌ，ＣおよびＳの結合、特にＬ＋Ｃ＋Ｓに等しい信号を受信して、それから隠蔽閾値ｍｔL0を取出す。第５隠蔽閾値判定ユニット２６．５は、信号群Ｒ，ＣおよびＳの結合、特にＲ＋Ｃ＋Ｓに等しい信号を受信して、それから隠蔽閾値ｍｔR0を取出す。第６隠蔽閾値判定ユニット２６．６は、第４情報信号Ｓを受信して、それから隠蔽閾値を取出し、その隠蔽閾値を第６隠蔽閾値としてその出力に供給する。
後述すべき各状態の一つでは、隠蔽閾値判定ユニット２６．５のための入力信号がＲ＋Ｃ−Ｓに等しくなることに留意すべきである。
本装置は、４選択ユニット群２８．１，２８．２，２８．３および２８．４を備えている。選択ユニット群は、すべて、それぞれの入力に多数の隠蔽閾値を受信して、かかる多数の隠蔽閾値の一つを選択した隠蔽閾値としてその出力にそれぞれ選択する。このようにして、選択ユニット２８．４は、多数の隠蔽閾値をその入力群に受信し、かかる多数の隠蔽閾値の一つを選択して、第４選択した隠蔽閾値ｍｔ4を得、この第２の選択隠蔽閾値ｍｔ4をその出力に供給する。
選択ユニット２８．１，２８．２，２８．３および２８．４の各出力は、それぞれの指令信号発生器ユニット３０．１，３０．２，３０．３および３０．４の対応する入力に係合している。各指令信号発生器ユニット３０．ｉ（ｉは１乃至４となる）は、上述したようにしてその入力に供給された隠蔽閾値に応じて指令信号を発生させる。このようにして、指令信号発生器ユニット３０．４は、信号ＡＵＸ2と選択ユニット２８．４によって供給された隠蔽閾値との間の信号対隠蔽比を計算し、引続いてそれからビット割当て情報を取出す。このビット割当て情報は、データ圧縮ユニット２２．４で信号ＡＵＸ2を量子化するのに用いられる。
４入力信号のうち二つが第１および第２の補助信号になる。選択ユニット１６．１で行なわれる選択は、得られるデータ圧縮の量に基づいている。これは、文献（２）および（８）のような種々の従来文献に記載されている。一般に言って、４入力信号からの２信号の選択は、得られる最高のデータ削減に到るように行なわれる。したがって、本装置が、選択ユニット１６．１に対する選択制御信号ｔｃａ′を発生させる計算ユニット３２．１を備えているのは明らかであろう。
復号器における復号に際し、再生信号Ｌ′，Ｒ′，Ｃ′，Ｓ′，Ｌ0′およびＲ0′のいずれにも存在する量子化ノイズが聞えるようになるのを避けるためには、二つ以上の隠蔽閾値相互間での選択が、上述したように必要となる。
隠蔽閾値の選択を詳細に説明しよう。選択ユニット２８．ｉで一つの隠蔽閾値が選択されるべき隠蔽閾値の群は、起り得る種々の状態で相違し得ることに留意すべきである。就中、隠蔽閾値の群は、４信号のうちのいずれが補助信号ＡＵＸ1およびＡＵＸ2として選ばれたかに依存している。
IIａ
つぎの表３は、６ｔｃａ’値ｔｃａ＝０乃至ｔｃａ＝５によって示され、補助信号ＡＵＸ1およびＡＵＸ2に対する選択を示す６状態を示したものである。ＣおよびＳが補助信号（ｔｃａ’＝０）として選択された場合には、信号ＬおよびＲは、それぞれ、第１および第２の主信号Ｍ1およびＭ2として表わされる。ＬおよびＳが補助信号（ｔｃａ’＝１）として選択された場合には、信号ＣおよびＲが、それぞれ、第１および第２の主信号Ｍ1およびＭ2として表わされる。ＲおよびＳが補助信号（ｔｃａ’＝２）として選択された場合には、信号ＬおよびＣが、それぞれ、第１および第２の主信号Ｍ1およびＭ2として表わされる。ＣおよびＬが補助信号（ｔｃａ’＝３）として選択された場合には、信号ＳおよびＲが、それぞれ、第１および第２の主信号Ｍ1およびＭ2として表わされる。ＣおよびＲが補助信号（ｔｃａ’＝４）として選択された場合には、信号ＬおよびＳが、それぞれ、第１および第２の主信号Ｍ1およびＭ2として表わされる。ＬおよびＲが補助信号（ｔｃａ’＝５）として選択された場合には、信号ＳおよびＣが、それぞれ、第１および第２の主信号として表わされる。
0003948752.tif 000004
ここで、ｔｃａ′＝５で示された状態は、上述の式５ｂを参照して、ｆ＝−ｄおよびｂ＝ａに対してのみ可能であることに、ここで留意すべきである。
計算ユニット３２．１は、信号ＣおよびＳが補助信号ＡＵＸ1およびＡＵＸ2として選択されるべきことを確立しているものと、まず仮定する。したがって、
ｔｃａ′＝０
選択ユニット２８．１は、ｍｔL0およびｍｔLとなる二つの隠蔽閾値の群から最小の隠蔽閾値を選択する。選択ユニット２８．２は、ｍｔR0およびｍｔRとなる二つの隠蔽閾値の群から最小の隠蔽閾値を選択する。選択ユニット２８．３は、ｍｔL，ｍｔRおよびｍｔCとなる三つの隠蔽閾値の群から最小の隠蔽閾値を選択する。選択ユニット２８．４は、ｍｔL，ｍｔRおよびｍｔSとなる三つの隠蔽閾値の群から最小の隠蔽閾値を選択する。
再生された信号が、すべて、聞える量子化ノイズから解放されていることを示すさらなる説明は行なわない。
いま、ｔｃａ′＝１と仮定する。選択ユニット２８．１は、今度はｍｔL0，ｍｔCおよびｍｔRとなる三つの隠蔽閾値の群から最小の隠蔽閾値を選択する。選択ユニット２８．２は、再びｍｔR0およびｍｔRとなる二つの隠蔽閾値の群から最小の隠蔽閾値を選択する。選択ユニット２８．３は、ｍｔL，ｍｔRおよびｍｔCとなる三つの隠蔽閾値の群から最小の隠蔽閾値を選択する。選択ユニット２８．４は、ｍｔCおよびｍｔSとなる二つの隠蔽閾値の群から最小の隠蔽閾値を選択する。
いま、ｔｃａ′＝２と仮定する。選択ユニット２８．１は、再びｍｔL0およびｍｔLとなる二つの隠蔽閾値の群から最小の隠蔽閾値を選択する。選択ユニット２８．２は、今度はｍｔR0，ｍｔCおよびｍｔLとなる三つの隠蔽閾値の群から最小の隠蔽閾値を選択する。選択ユニット２８．３は、今度はｍｔL，ｍｔRおよびｍｔCとなる三つの隠蔽閾値の群から最小の隠蔽閾値を選択する。選択ユニット２８．４は、今度はｍｔCおよびｍｔSとなる二つの隠蔽閾値の群から最小の隠蔽閾値を選択する。
いま、ｔｃａ′＝３と仮定する。状態ｔｃａ′＝３は、状態ｔｃａ′＝１からＳとＣとを交換することによって得られる。したがって、選択ユニット２８．１は、今度はｍｔL0，ｍｔSおよびｍｔRとなる三つの隠蔽閾値の群から最小の隠蔽閾値を選択する。選択ユニット２８．２は、再びｍｔR0およびｍｔRとなる二つの隠蔽閾値の群から最小の隠蔽閾値を選択する。選択ユニット２８．３は、ｍｔCおよびｍｔSとなる二つの隠蔽閾値の群から最小の隠蔽閾値を選択する。選択ユニット２８．４は、再びｍｔR，ｍｔLおよびｍｔSとなる三つの隠蔽閾値の群から最小の隠蔽閾値を選択する。
状態ｔｃａ′＝４は、状態ｔｃａ′＝２からＳとＣとを交換することによって得られる。したがって、選択ユニット２８．１は、再びｍｔL0およびｍｔLとなる二つの隠蔽閾値の群から最小の隠蔽閾値を選定する。選定ユニット２８．２は、今度はｍｔR0，ｍｔSおよびｍｔLとなる三つの隠蔽閾値の群から最小の隠蔽閾値を選定する。選定ユニット２８．３は、今度はｍｔL，ｍｔRおよびｍｔCとなる三つの隠蔽閾値の群から最小の隠蔽閾値を選定する。選定ユニット２８．４は、今度はｍｔCおよびｍｔSとなる二つの隠蔽閾値の群から最小の隠蔽閾値を選定する。
以上に説明したように、状態ｔｃａ′＝５は、つぎの式がＬ0およびＲ0に対して保持される場合にのみ成立つ。
Ｌ0 ＝Ｌ＋ａ．Ｃ＋ｄ．Ｓ        （式６ａ）
Ｒ0 ＝Ｒ＋ａ．Ｃ−ｄ．Ｌ        （式６ｂ）
復号に際し、信号群ＣおよびＳの複製Ｃ’およびＳ′がつぎの式から得られる。
Ｃ′＝０．５｛（Ｌ0′＋Ｒ0′）−（Ｌ′＋Ｒ′）｝／ａ  （式７ａ）
Ｓ′＝０．５｛（Ｌ0′＋Ｒ0′）−（Ｌ′＋Ｒ′）｝／ｄ  （式７ｂ）
再び、ａ＝ｄ＝１と仮定する。選定ユニット２８．１は、再度ｍｔL0，ｍｔCおよびｍｔSとなる三つの隠蔽閾値の群から最小の隠蔽閾値を選定する。選定ユニット２８．２は、今度はｍｔR0，ｍｔCおよびｍｔSとなる三つの隠蔽閾値の群から最小の隠蔽閾値を選定する。選定ユニット２８．３は、ｍｔL，ｍｔCおよびｍｔSとなる三つの隠蔽閾値の群から最小の隠蔽閾値を選定する。選定ユニット２８．４は、再びｍｔR，ｍｔCおよびｍｔSとなる三つの隠蔽閾値の群から最小の隠蔽閾値を選定する。
IIｂ
以上では、マトリックスに先立ち、第１補助信号ＡＵＸ1乃至第２補助信号ＡＵＸ2に先行量子化および引続く量子化復元は施されなかった、と仮定して来た。マトリックスに先立つ補助信号への先行量子化および引続く量子化復元は、種々の従来技術文献に記載されている。関連文献表中の文献（２）および（８）をこの点について参照する。
特に、図９は、マトリックスに先立つ補助信号ＡＵＸ1およびＡＵＸ2へのかかる先行量子化および引続く量子化復元を実施する符号化装置の実施例を模式的に示したものである。図９に見られるように、符号化装置は、データ圧縮ユニット２２．３および２２．４の出力にそれぞれ係合した入力を有するデータ拡張ユニット７．１および７．２をさらに備えている。データ拡張ユニット７．１および７．２は、データ圧縮した補助信号ＡＵＸ1およびＡＵＸ2を拡張して、複製ＡＵＸ1′およびＡＵＸ2′を得るようにする。さらに、スイッチ・ユニット１１１．１は、マトリックス過程を実行するのに必要な信号群をすべて有するマトリックス・ユニット１０を備える必要がある。スイッチ・ユニット１１１．１は、ｔｃａ′制御信号によって制御されるスイッチ７０．１および１１０．１を備えている。さらに、マトリックス・ユニット１０．２′は、今度は制御信号ｔｃａ′の受信を必要とする。
ｔｃａ′＝０に対しては、両スイッチ７０．１および１１０．１がその位置ａ−ｂにある。ｔｃａ′＝１に対しては、スイッチ７０がその位置ｂ−ｃにあって、スイッチ１１０．１がその位置ａ−ｂにある。ｔｃａ′＝２に対しては、スイッチ７０．１がその位置ａ−ｂにあって、スイッチ１１０．１がその位置ｂ−ｃにある。ｔｃａ′＝３に対しては、スイッチ７０．１がその位置ｂ−ｄにあって、スイッチ１１０．１がその位置ａ−ｂにある。ｔｃａ′＝４に対しては、スイッチ７０．１がその位置ａ−ｂにあって、スイッチ１１０．１がその位置ｂ−ｄにある。ｔｃａ′＝５に対しては、スイッチ７０．１がその位置ｂ−ｃにあって、スイッチ１１０．１がその位置ｂ−ｄにある。マトリックスユニット１０．２′は、今度は、複合信号が、量子化され、引続いて量子化復元された２補助信号の成分を備えていることを示すＬp0およびＲp0で表わした複合信号を発生させる。さらに、上述したように、図８に与えられた隠蔽閾値ｍｔL0およびｍｔR0は、もとの信号群から取出される。補助信号として選択された信号群の量子化されず、引続いて量子化復元されない形態は、隠蔽閾値ｍｔL0およびｍｔR0を得るのに用いられる。
図９の符号化装置の実施例については、上述した選択のいくつかが変化している。
特に、ｔｃａ′＝０に対しては、選択ユニット２８．１が隠蔽閾値ｍｔL0とｍｔLとの間で選択し、選択ユニット２８．２が隠蔽閾値ｍｔR0とｍｔRとの間で選択する。選択ユニット２８．３は、ｍｔL0，ｍｔR0およびｍｔCとなる三つの隠蔽閾値の群から最小の隠蔽閾値を選択する。選択ユニット２８．４は、再びｍｔL0，ｍｔR0およびｍｔSとなる三つの隠蔽閾値の群から最小の隠蔽閾値を選択する。
隠蔽閾値の選択が、受信機で回復された種々の信号群の聞えない量子化ノイズに通ずることは、さらなる説明を行なわない。
ｔｃａ′＝１に対し、選択ユニット２８．１は、隠蔽閾値ｍｔL0，ｍｔCおよびｍｔRの間で選択し、選択ユニット２８．２は、隠蔽閾値ｍｔR0およびｍｔRの間で選択する。選択ユニット２８．３は、今度はｍｔLおよびｍｔRとなる二つの隠蔽閾値の群から最小の隠蔽閾値を選択する。選択ユニット２８．４は、ｍｔR0，ｍｔL0およびｍｔSとなる二つの隠蔽閾値の群から最小の隠蔽閾値を選択する。
ｔｃａ′＝２に対し、選択ユニット２８．１は、隠蔽閾値ｍｔR0，ｍｔCおよびｍｔLの相互間で選択し、選択ユニット２８．２は、隠蔽閾値ｍｔR0，ｍｔCおよびｍｔLの相互間で選択する。選択ユニット２８．３は、今度はｍｔRおよびｍｔR0となる二つの隠蔽閾値の群から最小の隠蔽閾値を選択する。選択ユニット２８．４は、今度は、ｍｔL0，ｍｔR0およびｍｔSとなる二つの隠蔽閾値の群から最小の隠蔽閾値を選択する。
ｔｃａ′＝３に対し、選択ユニット２８．１は、隠蔽閾値ｍｔL0，ｍｔSおよびｍｔRの相互間で選択する。選択ユニット２８．２は、隠蔽閾値ｍｔR0とｍｔRとの間で選択する。選択ユニット２８．３は、ｍｔL0，ｍｔR0およびｍｔCとなる三つの隠蔽閾値の群から最小の隠蔽閾値を選択する。選択ユニット２８．４は、今度は隠蔽閾値ｍｔL0およびｍｔLから最小の隠蔽閾値を選択する。
ｔｃａ′＝４に対し、選択ユニット２８．１は、再度ｍｔL0およびｍｔLとなる二つの隠蔽閾値の群から最小の隠蔽閾値を選択する。選択ユニット２８．２は、今度は、ｍｔR0，ｍｔSおよびｍｔLとなる二つの隠蔽閾値の群から最小の隠蔽閾値を選択する。選択ユニット２８．３は、ｍｔL0，ｍｔR0およびｍｔCとなる三つの隠蔽閾値の群から最小の隠蔽閾値を選択する。選択ユニット２８．４は、今度はｍｔR0およびｍｔRとなる二つの隠蔽閾値の群から最小の隠蔽閾値を選択する。
ｔｃａ′＝５に対し、選択ユニット２８．１は、再度ｍｔL0，ｍｔCおよびｍｔSとなる三つの隠蔽閾値の群から最小の隠蔽閾値を選択する。選択ユニット２８．２は、今度は、ｍｔR0，ｍｔCおよびｍｔSとなる三つの隠蔽閾値の群から最小の隠蔽閾値を選択する。選択ユニット２８．３は、ｍｔL0およびｍｔL0となる二つの隠蔽閾値の群から最小の隠蔽閾値を選択する。選択ユニット２８．４は、ｍｔR0およびｍｔRとなる三つの隠蔽閾値の群から最小の隠蔽閾値を選択する。
IIｃ
状態IIａのもとに述べた実施例のさらなる変形は、マトリックス・ユニット１０．２において、つぎのようにして二つの複合信号を取出すことである。
Ｌp0＝Ｌ＋Ｃpd＋Ｓ              （式８ａ）
Ｒ0 ＝Ｒ＋Ｃ＋Ｓ                （式８ｂ）
これは、Ｌ0が、Ｃの先行量子化され、引続いて量子化復元された形態であるＣpd並びにもとの信号群ＬおよびＳから、Ｒ0がもとの信号Ｒ，ＣおよびＳから取出されるのに反して取出されることを意味する。
ｔｃａ′＝０に対し、選択ユニット２８．１，２８．２および２８．４における選択は、状態IIａに対して記載したのと同じままである。しかしながら、選択ユニット２８．３は、ｍｔL0，ｍｔRおよびｍｔCとなる三つの隠蔽閾値の群から最小の隠蔽閾値を選択する。
ｔｃａ′＝３に対し、選択ユニット２８．１，２８．２および２８．４における選択は、状態IIａに対して記載したのと同じままである。しかしながら、選択ユニット２８．３は、今度は、ｍｔL0，ｍｔRおよびｍｔCとなる三つの隠蔽閾値の群から最小の隠蔽閾値を選択する。
ｔｃａ′＝４に対し、選択ユニット２８．１，２８．２および２８．４における選択は、状態IIａに対して記載したのと同じままである。しかしながら、選択ユニット２８．３は、今度は、ｍｔL0，ｍｔL，ｍｔCおよびｍｔSとなる四つの隠蔽閾値の群から最小の隠蔽閾値を選択する。
ｔｃａ′値１，２および５に対して、Ｃは補助信号として選択されず、したがって、この状態には馴染まないことに留意すべきである。
IIｄ
状態IIａのもとで記載された実施例のさらなる変形は、マトリックス・ユニット１０．２において、つぎのようにして二つの複合信号を取出すことである。
Ｌ0 ＝Ｌ＋Ｃ＋Ｓ                （式９ａ）
Ｒp0＝Ｒ＋Ｃpd＋Ｓ              （式９ｂ）
これは、Ｒp0が、Ｃの先行量子化され、次いで量子化復元された形態であるＣpdともとの信号ＲおよびＳから取出されるのに反し、Ｌ0は、先行量子化されず、次いで量子化復元もされていないもとの信号群Ｌ，ＣおよびＳから取出されることを意味する。
ｔｃａ′＝０に対し、選択ユニット２８．１，２８．２および２８．４における選択は、状態IIａに対して記載されたのと同じままである。しかしながら、選択ユニット２８．３は、今度は、ｍｔL，ｍｔR0およびｍｔCとなる三つの隠蔽閾値の群から最小の隠蔽閾値を選択する。
ｔｃａ′＝３に対し、選択ユニット２８．１，２８．２および２８．４における選択は、状態IIａに対して記載したのと同じままである。しかしながら、選択ユニット２８．３は、今度は、ｍｔR0，ｍｔR，ｍｔSおよびｍｔCとなる四つの隠蔽閾値の群から最小の隠蔽閾値を選択する。
ｔｃａ′＝４に対し、選択ユニット２８．１，２８．２および２８．４における選択は、状態IIａに対して記載したのと同じままである。しかしながら、選択ユニット２８．３は、今度は、ｍｔL，ｍｔR0およびｍｔCとなる三つの隠蔽閾値の群から最小の隠蔽閾値を選択する。
ｔｃａ′値１，２および５に対して、Ｃが、補助信号として選択されず、したがって、この状態には馴染まないことに留意すべきである。
IIｅ
状態IIａのもとに記載された実施例のさらなる変形は、マトリックス・ユニット１０．２において、つぎのようにして複合信号を取出すことである。
Ｌp0＝Ｌ＋Ｃ＋Ｓpd              （式１０ａ）
Ｒ0 ＝Ｒ＋Ｃ＋Ｓ                （式１０ｂ）
これは、Ｒ0がもとの信号群Ｒ，ＣおよびＳから取出されるのに反し、Ｌ0はＳの先行量子化され、次いで量子化復元された形態であるＳpd並びにもとの信号群ＬおよびＣから取出されることを意味する。
ｔｃａ′＝０に対し、選択ユニット２８．１，２８．２および２８．３における選択は、状態IIａに対して記載したのと同じままである。しかしながら、選択ユニット２８．４は、今度は、ｍｔL0，ｍｔRおよびｍｔSとなる三つの隠蔽閾値の群から最小の隠蔽閾値を選択する。
ｔｃａ′＝１に対し、選択ユニット２８．１，２８．２および２８．３における選択は、状態IIａに対して記載したのと同じままである。しかしながら、選択ユニット２８．４は、今度は、ｍｔL0，ｍｔRおよびｍｔSとなる三つの隠蔽閾値の群から最小の隠蔽閾値を選択する。
ｔｃａ′＝２に対し、選択ユニット２８．１，２８．２および２８．３における選択は、状態IIａに対して記載したのと同じままである。しかしながら、選択ユニット２８．４は、今度は、ｍｔL0，ｍｔL，ｍｔCおよびｍｔSとなる四つの隠蔽閾値の群から最小の隠蔽閾値を選択する。
ｔｃａ′値３，４および５に対してＳが、補助信号としては選択されず、したがって、この状態には馴染まないことに留意すべきである。
IIｆ
状態IIａのもとに記載された実施例のさらなる変形は、マトリックス・ユニット１０．２において、つぎのようにして複合信号を取出すことである。
Ｌ0 ＝Ｌ＋Ｃ＋Ｓ                （式１１ａ）
Ｒp0＝Ｒ＋Ｃ＋Ｓpd              （式１１ｂ）
これは、Ｒ0が、Ｃの先行量子化され、次いで量子化復元された形態であるＳpd並びにもとの信号群ＲおよびＣから取出されるのに反し、Ｌ0はもとの信号群Ｌ，ＣおよびＳから取出されることを意味する。
ｔｃａ′＝０に対し、選択ユニット２８．１，２８．２および２８．３における選択は、状態IIａに対して記載したのと同じままである。しかしながら、選択ユニット２８．４は、今度は、ｍｔL，ｍｔR0およびｍｔSとなる三つの隠蔽閾値の群から最小の隠蔽閾値を選択する。
ｔｃａ′＝１に対し、選択ユニット２８．１，２８．２および２８．３における選択は、状態IIａに対して記載したのと同じままである。しかしながら、選択ユニット２８．４は、今度は、ｍｔR0，ｍｔR，ｍｔCおよびｍｔSとなる四つの隠蔽閾値の群から最小の隠蔽閾値を選択する。
ｔｃａ′＝２に対し、選択ユニット２８．１，２８．２および２８．３における選択は、状態IIａに対して記載したのと同じままである。しかしながら、選択ユニット２８．４は、今度は、ｍｔL，ｍｔR0およびｍｔSとなる三つの隠蔽閾値の群から最小の隠蔽閾値を選択する。
ｔｃａ′値１，２および５に対してＣは、補助信号としては選択されず、したがって、この状態には馴染まないことに留意すべきである。
IIｇ
ｔｃａ′＝１が選ばれた場合に、第２複合信号Ｒ0に補償を施すことは、従来技術の文献、関連文献表における文献（８）から知られている。これは、図５に示されている。また、この点に関しては、文献（８）の図１１および対応する記載を参照する。
この状態、すなわち、状態IIａにおいては、図５の回路は付加されているが、先行量子化および引続く量子化復元を伴わないので、選択ユニット２８．１は、今度は、ｍｔL0，ｍｔR0およびｍｔCとなる三つの隠蔽閾値の群から最小の隠蔽閾値を選択する。
同様にして、ｔｃａ′＝３が選ばれた場合には、選択ユニット２８．１は、今度は、ｍｔL0，ｍｔR0およびｍｔSとなる三つの隠蔽閾値の群から最小の隠蔽閾値を選択する。
IIｈ
状態IIａにおけるｔｃａ′＝２が選ばれた場合には、第１複合信号Ｌ0に補償を施すことは、従来技術の文献、関連文献表における文献（８）から知られている。これは、図６に示されている。また、これについては、文献（８）の図１２および対応する記載を参照する。
この状態では、選択ユニット２８．２は、今度は、ｍｔL0，ｍｔR0およびｍｔCとなる三つの隠蔽閾値の群から最小の隠蔽閾値を選択する。
同様にして、ｔｃａ′＝４が選ばれた場合に、選択ユニット２８．２は、今度は、ｍｔL0，ｍｔR0およびｍｔSとなる三つの隠蔽閾値の群から最小の隠蔽閾値を選択する。
IIｉ
ｔｃａ′＝５が選ばれた場合には、第１補助信号（ＡＵＸ1＝Ｌ）は、マトリックス・ユニットにおけるマトリックスの前に、先行量子化され、次いで量子化復元され、第２補助信号（ＡＵＸ2＝Ｒ）は、先行量子化されないようにした実施例が思い付かれる。この状態では、選択ユニット２８．１は、ｍｔL0，ｍｔCおよびｍｔSとなる三つの隠蔽閾値の群から最小の隠蔽閾値を選定する。選択ユニット２８．２は、ｍｔR0，ｍｔCおよびｍｔSとなる三つの隠蔽閾値の群から最小の隠蔽閾値を選択する。選択ユニット２８．３は、ｍｔL0およびｍｔLとなる二つの隠蔽閾値の群から最小の隠蔽閾値を選定する。選択ユニット２８．４は、ｍｔR，ｍｔCおよびｍｔSとなる三つの隠蔽閾値の群から最小の隠蔽閾値を選定する。
IIｊ
ｔｃａ′＝５が選ばれた場合には、第１補助信号（ＡＵＸ1＝Ｌ）は先行量子化されず；第２補助信号（ＡＵＸ2＝Ｒ）は先行量子化され、次いで量子化復元されるように、マトリックス・ユニットにおけるマトリックスに先だってした他の実施例が思いつかれる。この状態では、選択ユニット２８．１は、ｍｔLO，ｍｔCおよびｍｔSとなる三つの隠蔽閾値の群から最小の隠蔽閾値を選定する。選定ユニット２８．２はｔｍRO，ｍｔCおよびｍｔSとなる三つの隠蔽閾値の群から最小の隠蔽閾値を選択する。選択ユニット２８．３はｍｔL，ｍｔCおよびｍｔSとなる三つの隠蔽閾値２８．４はｔｍROおよびｍｔRとなる二つの隠蔽閾値の群から最小の隠蔽閾値を選択する。
表４および表５は、四つの選択ユニット２８．１、２８．２、２８．３および２８．４における隠蔽閾値の選択のすべてを、上述した各状態に対し、４チャネルの場合について備えたものである。
0003948752.tif 000005
0003948752.tif 000006
状態IIb乃至IIjに対して表４および表５の満たされていない位置の隠蔽閾値は、状態IIaにおいて対応する位置の満たされた隠蔽閾値と同一であることに留意すべきである。さらに、状態IIbとIIeのような他の任意の状態を結合させた場合には、他の状態（IIe）のもとで与えられる選択は、IIbに与えられる選択にとって替わるべきである。
表４および表５からすれば、選択ユニット２８．１が少なくとも隠蔽閾値ｍｔLおよびｍｔLOを必要とすることは明らかである。さらに、付加的な隠蔽閾値ｍｔSは、選択を行なうのに必要である。状態IIa（ｔca＝１）の実施例に関連する場合には、隠蔽閾値ｍｔRも必要である。さらに、状態IIgにおいては、隠蔽閾値ｍｔROも必要である。したがって図８は、隠蔽閾値判定ユニット２６．１乃至２６．６の各出力と選択ユニットとの間の接続を模式的に示している。問題の符号化装置の実施例に依存し、すなわち、表に与えられた状態に依存するとともに、ｔca′の値に依存して、表に与えられた所要の隠蔽閾値が選択ユニット２８．１に供給される。
選択ユニット２８．２が少なくとも隠蔽閾値ｍｔRおよびｍｔROを必要とすることは表４および表５からさらに明らかである。さらに、隠蔽閾値ｍｔCおよびｍｔSが選択を実行するのに必要である。状態IIaの実施例に関連する限り、隠蔽閾値ｍｔLOも必要である。したがって、隠蔽閾値判定ユニット２６．１乃至２６．６の各出力と選択ユニット２８．２との間の接続を模式的に示している。問題の符号化装置の実施例に依存して、すなわち表に与えられた状態に依存するとともに、ｔca′に対する値に依存して、表に与えられた必要な隠蔽閾値が選択ユニット28.2に供給される。
選択ユニット２８．３が、選択を実行するために少なくとも隠蔽閾値ｍｔCおよびｍｔSを必要とすることも表４および表５から明らかである。さらに隠蔽閾値ｍｔL，ｍｔRが選択を実行するのに必要である。状態IIbの実施例に関連する限り、隠蔽閾値ｍｔLOおよびｍｔROも必要とする。したがって、図８は、隠蔽閾値判定ユニット２６．１乃至２６．６の各出力と選択ユニット２８．３との間の接続を模式的に示している。問題の符号化装置の実施例に依存して、すなわち、表に与えられた状態に依存するとともに、ｔca′に対する値に依存して、表に与えられた必要な隠蔽閾値が選択ユニット２８．３に供給される。
選択ユニット２８．４が選択ユニット２８．３と同じ隠蔽閾値を必要とすることは、表４および表５からさらに明らかであろう。
種々のｔca′値に対して正しい選択を実現するためには、選択ユニット２８．１，２８．２，２８．３および２８．４が、図８に示すように、ｔca′制御信号の供給を必要とすることは明らかであろう。
III．５チャネル符号化装置
IIIａ
図１０および図１１は、左側信号成分（Ｌ）、右側信号成分（Ｒ）、中央信号成分（Ｃ）、左側周囲信号成分（Ｓ1）および右側周囲信号成分（Ｓr）を備えた５チャネル・オーディオ信号のような５チャネル情報信号を符号化するための符号化装置の実施例を示している。この符号化装置は、図１と図２と図７と図８との符号化装置との著しい類似を示している。図７および図８に関して既に論じた要素群とは別に、図１０および図１１の実施例は、第４情報信号を左側周囲信号Ｓ1の形で受信するための第４端子４と第５情報信号Ｓrを受信するための第５入力端子５とを備えている。その入力端子５は、マトリックス・ユニット１０．３の対応する入力に結合している。マトリックス・ユニット１０．３は、第１復号信号ＬOと第２復号信号ＲOとを供給するための二つの出力１２と１４とを有している。各復号信号は、信号群Ｌ，Ｒ，Ｃ，Ｓ1およびＳrとつぎの関係を有する。
ＬO＝Ｌ＋ａ・Ｃ＋ｄ・Ｓ1          （式１０ａ）
ＲO＝Ｒ＋ｂ・Ｃ＋ｆ・Ｓr          （式１０ｂ）
ここに、ａ，ｂ，ｄおよびｆは、すべてが１より小さいか、１に等しく保たれた定数である。差し当たりａ＝ｂ＝ｄ＝ｆ＝１と仮定しよう。
入力端子５は、第１選択ユニット１６．２の対応する入力にも係合している。この選択ユニット１６．２は、端子１８に印加された選択信号ｔca″の影響のもとに、５入力に印加された信号群のうちの三つを選択し、選択された各信号をそれぞれ第１，第２および第３の補助信号ＡＵＸ1，ＡＵＸ2およびＡＵＸ3として、出力２０．１，２０．２および２０．３にそれぞれ供給する。第５データ圧縮ユニット２２．５は、信号ＡＵＸ3にデータ圧縮過程を施すために設けられている。データ圧縮ユニット２２．５の出力は、信号結合ユニット２４．２の対応する入力に係合している。
信号結合ユニット２４．２は、データ圧縮ユニット２２．１，２２．２，２２．３，２２．４および２２．５によって供給されたデータ圧縮信号群を互いに結合させ、上述したのと同様に直列のデータ流にする。
本装置は２６．１乃至２６．７で表わされる七つの隠蔽閾値判定ユニットを備えている。隠蔽閾値判定ユニット２６．１，２６．２および２６．３は各信号Ｌ，ＲおよびＣをそれぞれ受信して、それから隠蔽閾値ｍｔL，ｍｔRおよびｍｔCをそれぞれ取出す。
隠蔽閾値判定ユニット２６．４は、各信号Ｌ，ＣおよびＳ1の結合、特にＬ＋Ｃ＋Ｓ1に等しい信号を受信してそれから隠蔽閾値ｍｔLOを取出す。隠蔽閾値判定ユニット２６．５は、各信号Ｒ，ＣおよびＳrの場合、特にＲ＋Ｃ＋Ｓrに等しい信号を受信して、それから隠蔽閾値ｍｔROを取出す。第６閾値判定ユニット２６．６は、第４情報信号Ｓ1を受信して、それから隠蔽閾値を取出し、その隠蔽閾値を第６隠蔽閾値ｍｔS1としてその出力に供給する。第７隠蔽閾値判定ユニット２６．７は、第４情報信号Ｓrを受信して、それから隠蔽閾値を取出し、その隠蔽閾値を第７隠蔽閾値としてその出力に供給する。
本装置は、５選択ユニット２８．１，２８．２，２８．３，２８．４および２８．５を備えている。かかる選択ユニットは、すべて多数の隠蔽閾値をそれぞれの入力に受信して、それぞれかかる多数の隠蔽閾値の一つを選択した隠蔽閾値としてその出力に選択する。このようにして、選択ユニット２８．４は、複数の隠蔽閾値をその入力に受信し、かかる複数の隠蔽閾値の一つを選択して第４の選択された隠蔽閾値ｍｔ4を得、その第４選択隠蔽閾値ｍｔ4をその出力に供給する。同様にして、選択ユニット２８．５は、複数の隠蔽閾値をその入力に受信し、かかる複数の隠蔽閾値の一つを選択して、第５隠蔽閾値ｍｔ5を得、その第５選択隠蔽閾値ｍｔ5をその出力に供給する。
選択ユニット２８．１，２８．２，２８．３２８．４および２８．５の各出力は、各指令信号発生器ユニット３０．１，３０．２，３０．３，３０．４および
３０．５の対応する入力に係合している。各指令信号発生器ユニット３０．ｉ（ｉは１乃至５となる）は、上述したようにしてそれぞれの入力に供給された隠蔽閾値に応じて指令信号を発生させる。このようにして、指令信号発生器ユニット３０．５は、信号ＡＵＸ3と選択ユニット２８．５が供給する隠蔽閾値との間の信号対隠蔽比を計算し、引続いてそれからビット割当て情報を取出す。このビット割当て情報は、データ圧縮ユニット２２．５において信号ＡＵＸ3を量子化するのに用いられる。
選択ユニット１６．２で行なわれた選択は、５入力信号中の三つが第１，第２および第３の補助信号となるものであるが、得られるデータ圧縮の量に基づいている。これは、文献（２）および（８）のような種々の従来の文献に記載されている。一般的に言って、５入力信号中の三つの選択は、得られる最高のデータ削減に通ずるように行なわれる。したがって、本装置が選択ユニット１６．２用の選択制御信号ｔca″を発生させる計算ユニット３２．２を備えていることは明らかであろう。
各信号Ｌ，Ｒ，Ｃ，Ｓ1，Ｓr，ＬOおよびＲOの複製に存在する量子化ノイズが復号の際に聞こえるようになるのを避けるためには、上述したように、若干の隠蔽閾値の相互間における選択が必要である。
今度は、隠蔽閾値の選択について説明する。選択ユニット２８．ｉで一つの隠蔽閾値が選択されるべき隠蔽閾値の群が起こり得る種々の状態で相違し得ることは、すでに留意されるべきである。就中、隠蔽閾値の群は、５信号中のいずれか補助信号ＡＵＸ1，ＡＵＸ2およびＡＵＸ3として選ばれているかに掛かっている。
IIIａ
つぎの表６は、８ｔca″値ｔca＝０乃至ｔca＝７によって指示され、補助信号ＡＵＸ1，ＡＵＸ2およびＡＵＸ3に対する選択を指示する８状態を示したものである。Ｃ，Ｓ1およびＳrが補助信号として選択された（ｔca″＝０）場合には、信号ＬおよびＲが、それぞれ第１および第２の主信号Ｍ1およびＭ2として表わされる。Ｌ，Ｓ1およびＳrが補助信号として選択された（ｔca″＝１）場合には、信号ＣおよびＲが、それぞれ第１および第２の主信号Ｍ1およびＭ2として表わされる。Ｒ，Ｓ1およびＳrが補助信号として選択された（ｔca″−２）場合には、信号ＬおよびＣが、それぞれ第１および第２の主信号Ｍ1およびＭ2として表わされる。ＣおよびＬおよびＳrが補助信号として選択された（ｔca″＝３）場合には、信号Ｓ1およびＲが第１および第２の主信号Ｍ1およびＭ2としてそれぞれ表わされる。Ｃ，Ｓ1およびＲが補助信号として選択された（ｔca″＝４）場合には、信号ＬおよびＳ1が、それぞれ、第１および第２の主信号Ｍ1およびＭ2として表わされる。Ｃ，Ｓ1およびＲが補助信号として選択された（ｔca″＝５）場合には、信号Ｓ1およびＳrが、それぞれ第１および第２の主信号Ｍ1およびＭ2として表わされる。Ｌ，ＲおよびＳrが補助信号として選択された（ｔca″＝６）場合には、信号Ｓ1およびＣが、それぞれ、第１および第２の主信号Ｍ1およびＭ2として表わされる。Ｌ，Ｓ1およびＲが補助信号として選択された（ｔca″＝７）場合には、信号ＣおよびＳrが、それぞれ、第１および第２の主信号Ｍ1およびＭ2として表わされる。
0003948752.tif 000007
まず、信号Ｃ，Ｓ1およびＳrが補助信号ＡＵＸ1，ＡＵＸ2およびＡＵＸ3として選択されるべきことを計算ユニット３２．２が確定しているものと仮定する。したがって、ｔca″＝０
選択ユニット２８．１は、今度はｍｔLOおよびｍｔLとなる二つの隠蔽閾値の群から最小の隠蔽閾値を選択する。選択ユニット２８．２は、今度はｍｔROおよびｍｔRとなる二つの隠蔽閾値の群から最小の隠蔽閾値を選択する。
選択ユニット２８．３はｍｔL，ｍｔRおよびｍｔCとなる三つの隠蔽閾値の群から最小の隠蔽閾値を選択する。
選択ユニット２８．４は、ｍｔLおよびｍｔS1となる二つの隠蔽閾値の群から最小の隠蔽閾値を選択する。
選択ユニット２８．５は、ｍｔRおよびｍｔS1となる二つの隠蔽閾値の群から最小の隠蔽閾値を選択する。
いま、ｔca″＝１と仮定する。選択ユニット２８．１は今度は、ｍｔLO，ｍｔCおよびｍｔRとなる三つの隠蔽閾値の群から最小の隠蔽閾値を選択する。選択ユニット２８．２は、再びｍｔROおよびｍｔRとなる二つの隠蔽閾値の群から最小の隠蔽閾値を選択する。
選択ユニット２８．３は、ｍｔL，ｍｔRおよびｍｔCとなる三つの隠蔽閾値の群から最小の隠蔽閾値を選択する。選択ユニット２８．４は、ｍｔR，ｍｔCおよびｍｔS1となる三つの隠蔽閾値の群から最小の隠蔽閾値を選択する。選択ユニット２８．５は、ｍｔRおよびｍｔS1となる二つの隠蔽閾値の群から最小の隠蔽閾値を選択する。
いま、ｔca″＝２と仮定する。選択ユニット２８．１は、再びｍｔLOおよびｍｔLとなる二つの隠蔽閾値の群から最小の隠蔽閾値を選択する。選択ユニット２８．２は今度はｍｔRO，ｍｔCおよびｍｔLとなる三つの隠蔽閾値の群から最小の隠蔽閾値を選択する。選択ユニット２８．３は、今度はｍｔL，ｍｔRおよびｍｔCとなる三つの隠蔽閾値の群から最小の隠蔽閾値を選択する。選択ユニット２８．４は、今度はｍｔLおよびｍｔS1となる二つの隠蔽閾値の群から最小の隠蔽閾値を選択する。選択２８．５は、今度はｍｔL，ｍｔCおよびｍｔS1となる三つの隠蔽閾値の群から最小の隠蔽閾値を選択する。
いま、ｔca″＝３と仮定する。これは、ＬとＳ1とが相互交換されるｔca″＝０の状態である。選択ユニット２８．１は今度はｍｔLOおよびｍｔS1となる二つの隠蔽閾値の群から最小の隠蔽閾値を選択する。選択ユニット２８．２は、再びｍｔROおよびｍｔRとなる二つの隠蔽閾値の群から最小の隠蔽閾値を選択する。選択ユニット２８．３はｍｔS1，ｍｔRおよびｍｔCとなる三つの隠蔽閾値の群から最小の隠蔽閾値を選択する。選択ユニット２８．４は、再びｍｔLおよびｍｔS1となる二つの隠蔽閾値の群から最小の隠蔽閾値を選択する。選択ユニット２８．５は、再びｍｔRおよびｍｔSrとなる二つの隠蔽閾値の群から最小の隠蔽閾値を選択する。
状態ｔca″＝４は、ＳrとＲとを相互交換することにより、状態ｔca″＝２から得られる。したがって、選択ユニット２８．１は、再びｍｔLOおよびｍｔLとなる二つの隠蔽閾値の群から最小の隠蔽閾値を選択する。隠蔽閾値ユニット２８．２は、今度はｍｔROおよびｍｔSrとなる二つの隠蔽閾値の群から最小の隠蔽閾値を選択する。選択ユニット２８．３は、今度はｍｔL，ｍｔSrおよびｍｔCとなる三つの隠蔽閾値の群から最小の隠蔽閾値を選択する。選択ユニット２８．４は、ｍｔLおよびｍｔS1となる二つの隠蔽閾値の群から最小の隠蔽閾値を選択する。選択ユニット２８．５は、ｍｔRおよびｍｔSrとなる二つの隠蔽閾値の群から最小の隠蔽閾値を選択する。
状態ｔca″＝５は、Ｓ1をＬと交換し、ＳrをＲと交換することにより、状態ｔca″＝０から得られる。選択ユニット２８．１は、再びｍｔLOおよびｍｔS1となる二つの隠蔽閾値の群から最小の隠蔽閾値を選択する。選択ユニット２８．２は、今度はｍｔROおよびｍｔS1となる二つの隠蔽閾値の群から最小の隠蔽閾値を選択する。選択ユニット２８．３は、ｍｔS1，ｍｔSrおよびｍｔCとなる三つの隠蔽閾値の群から最小の隠蔽閾値を選択する。選択ユニット２８．４は、ｍｔLおよびｍｔS1となる二つの隠蔽閾値の群から最小の隠蔽閾値を選択する。選択ユニット２８．５は、ｍｔRおよびｍｔSrとなる二つの隠蔽閾値の群から最小の隠蔽閾値を選択する。
状態ｔca″＝６は、Ｓ1をＬと交換することにより、状態ｔca″＝２から得られる。選択２８．１は、再びｍｔLOおよびｍｔS1となる二つの隠蔽閾値の群から最小の隠蔽閾値を選択する。選択ユニット２８．２は、今度はｍｔRO，ｍｔCおよびｍｔS1となる三つの隠蔽閾値の群から最小の隠蔽閾値を選択する。選択ユニット２８．３は、ｍｔR，ｍｔS1およびｍｔCとなる隠蔽閾値の群から最小の隠蔽閾値を選択する。選択ユニット２８．４は、ｍｔLおよびｍｔS1となる二つの隠蔽閾値の群から最小の隠蔽閾値を選択する。選択ユニット２８．５は、ｍｔC，ｍｔS1およびｍｔSrとなる三つの隠蔽閾値の群から最小の隠蔽閾値を選択する。
状態ｔca″＝７は、ＲをＳrと交換することにより、状態ｔca″＝１から得られる。選択ユニット２８．１は、再びｍｔLO，ｍｔCおよびｍｔSrとなる三つの隠蔽閾値の群から最小の隠蔽閾値を選択する。選択２８．２は、今度はｍｔROおよびｍｔSrとなる二つの隠蔽閾値の群から最小の隠蔽閾値を選択する。選択ユニット２８．３は、ｍｔL，ｍｔSrおよびｍｔCとなる三つの隠蔽閾値の群から最小の隠蔽閾値を選択する。選択ユニット２８．４は、ｍｔC，ｍｔS1およびｍｔSrとなる三つの隠蔽閾値の群から最小の隠蔽閾値を選択する。選択ユニット２８．５は、ｍｔRおよびｍｔSrとなる二つの隠蔽閾値の群から最小の隠蔽閾値を選択する。
IIIｂ
以上においては、量子化および引続く量子化復元は、マトリックスに先立ち、第１，第２および第３の補助信号には起こらなかったと仮定して来た。マトリックスに先立つ補助信号への量子化および引続く量子化復元は、種々の従来技術文献に記載されている。この点に関し、関連文献表中の文献（２）および（８）を参照する。
マトリックスに先立つ、補助信号への先行量子化および引続く量子化復元を備えた他の実施例は、上述した図４および図９の実施例を論じた後は、かかる実施例は明白であるから、最早開示されない。
先行量子化および引続く量子化復元を実施する符号化装置の実施例については、上述した選択のうちのいくつかが変化する。
特に、ｔca″＝０に対し、選択ユニット２８．３は、ｍｔLO，ｍｔROおよびｍｔCとなる隠蔽閾値の群から最小の隠蔽閾値を選択する。選択ユニット２８．４は、ｍｔLOおよびｍｔS1となる二つの隠蔽閾値の群から最小の隠蔽閾値を選択する。選択ユニット２８．５は、ｍｔROおよびｍｔSrとなる二つの隠蔽閾値の群から最小の隠蔽閾値を選択する。
ｔca″＝１に対し、選択ユニット２８．３は、ｍｔLおよびｍｔLOとなる隠蔽閾値の群から最小の隠蔽閾値を選択する。選択ユニット２８．４は、ｍｔLOおよびｍｔS1となる二つの隠蔽閾値の群から最小の隠蔽閾値を選択する。選択ユニット２８．５は、ｍｔROおよびｍｔSrとなる二つの隠蔽閾値の群から最小の隠蔽閾値を選択する。
ｔca″＝２に対し、選択ユニット２８．３は、ｍｔRおよびｍｔROとなる隠蔽閾値の群から最小の隠蔽閾値を選択する。選択ユニット２８．４は、ｍｔLOおよびｍｔS1となる二つの隠蔽閾値の群から最小の隠蔽閾値を選択する。選択ユニット２８．５は、ｍｔROおよびｍｔSrとなる二つの隠蔽閾値の群から最小の隠蔽閾値を選択する。
ｔca″＝３に対し、選択ユニット２８．３は、ｍｔLO，ｍｔROおよびｍｔCとなる隠蔽閾値の群から最小の隠蔽閾値を選択する。選択ユニット２８．４は、ｍｔLOおよびｍｔLとなる二つの隠蔽閾値の群から最小の隠蔽閾値を選択する。選択ユニット２８．５は、ｍｔROおよびｍｔSrとなる二つの隠蔽閾値の群から最小の隠蔽閾値を選択する。
ｔca″＝４に対し、選択ユニット２８．３は、ｍｔC，ｍｔLOおよびｍｔROとなる隠蔽閾値の群から最小の隠蔽閾値を選択する。選択ユニット２８．４は、ｍｔLOおよびｍｔS1となる二つの隠蔽閾値の群から最小の隠蔽閾値を選択する。選択ユニット２８．５はｍｔROおよびｍｔRとなる二つの隠蔽閾値の群から最小の隠蔽閾値を選択する。
ｔca″＝５に対し、選択ユニット２８．３は、ｍｔC，ｍｔLOおよびｍｔROとなる隠蔽閾値の群から最小の隠蔽閾値を選択する。選択ユニット２８．４は、ｍｔLOおよびｍｔLとなる二つの隠蔽閾値の群から最小の隠蔽閾値を選択する。選択ユニット２８．５は、ｍｔROおよびｍｔRとなる二つの隠蔽閾値の群から最小の隠蔽閾値を選択する。
ｔca″＝６に対し、選択ユニット２８．３は、ｍｔRおよびｍｔROとなる隠蔽閾値の群から最小の隠蔽閾値を選択する。選択ユニット２８．４は、ｍｔLOおよびｍｔLとなる二つの隠蔽閾値の群から最小の隠蔽閾値を選択する。選択ユニット２８．５は、ｍｔROおよびｍｔSrとなる二つの隠蔽閾値の群から最小の隠蔽閾値を選択する。
ｔca″＝７に対し、選択ユニット２８．３は、ｍｔLおよびｍｔLOとなる隠蔽閾値の群から最小の隠蔽閾値を選択する。選択ユニット２８．４は、ｍｔLOおよびｍｔS1となる二つの隠蔽閾値の群から最小の隠蔽閾値を選択する。選択ユニット２８．５は、ｍｔROおよびｍｔRとなる二つの隠蔽閾値の群から最小の隠蔽閾値を選択する。
IIIｃ
状態IIIaのもとに記載された実施例のさらなる変形は、つぎのようにしてマトリックス・ユニット１０．３で二つの複合信号を取出すことである。
Ｌpo＝Ｌ＋Ｃpd＋Ｓ1＋Ｓr          （式１２ａ）
Ｒo ＝Ｒ＋Ｃ＋Ｓ1＋Ｓr            （式１２ｂ）
これは、Ｒoがもとの信号Ｒ，Ｃ，Ｓ1およびＳrから取出されるのに反し、ＬOは、Ｃの先行量子化され、次いで量子化復元された形態であるＣpd並びにもとの信号Ｌ，Ｓ1およびＳrから取出されることを意味する。
選択ユニット２８．１，２８．２，２８．４および２８．５における選択は、すべて同じｔca″値に対し、状態IIIaにおけると同じままである。選択ユニット２８．３における各選択のみが変化する。
ｔca″＝０に対し、選択ユニット２８．３は、今度はｍｔLO，ｍｔRおよびｍｔCとなる三つの隠蔽閾値の群から最小の隠蔽閾値を選択する。
ｔca″＝３に対し、選択ユニット２８．３は、ｍｔLO，ｍｔRおよびｍｔCとなる三つの隠蔽閾値の群から最小の隠蔽閾値を選択する。
ｔca″＝４に対し、選択ユニット２８．３は、ｍｔLO，ｍｔCおよびｍｔSrとなる隠蔽閾値の群から最小の隠蔽閾値を選択する。
ｔca″＝５に対し、選択ユニット２８．３は、ｍｔLO，ｍｔCおよびｍｔSrとなる隠蔽閾値の群から最小の隠蔽閾値を選択する。
ｔca″値１，２，６，７に対し、Ｃは、補助信号として選択されておらず、したがって、この状態には馴染まない。
IIIｄ
状態IIaのもとに記載された実施例のさらなる変形は、マトリックス・ユニット１０−２′においてつぎのようにして二つの複合信号を取出すことである。
Ｌo ＝Ｌ＋Ｃ＋Ｓ1＋Ｓr              （式１３ａ）
Ｌpo＝Ｒ＋Ｃpd＋Ｓ1＋Ｓr            （式１４ｂ）
これは、Ｌpoが、Ｃの先行量子化され次いで量子化復元された形態であるＣpd並びにもとの信号Ｒ1，Ｓ1およびＳrから取出されるのに反し、Ｌoは、先行量子化されず、次いで量子化復元もされないもとの信号Ｌ，Ｃ，Ｓ1およびＳrから取出されることを意味する。
選択ユニット２８．１，２８．２，２８．４および２８．５における選択は、すべて、同じｔca″値に対し、状態IIIaにおけると同様のままである。選択ユニット２８．３における選択のみが変化する。
ｔca″＝０に対し、選択ユニット２８．３はｍｔL，ｍｔROおよびｍｔCとなる三つの隠蔽閾値の群から最小の隠蔽閾値を選択する。
ｔca″＝３に対し、選択ユニット２８．３は、ｍｔRO，ｍｔCおよびｍｔS1となる三つの隠蔽閾値の群から最小の隠蔽閾値を選択する。
ｔca″＝４に対し、選択ユニット２８．３は、ｍｔL，ｍｔROおよびｍｔCとなる三つの隠蔽閾値の群から最小の隠蔽閾値を選択する。
ｔca″＝５に対し、選択ユニット２８．３は、ｍｔS1，ｍｔROおよびｍｔCとなる三つの隠蔽閾値の群から最小の隠蔽閾値を選択する。
ｔca″値１，２，６および７に対し、Ｃは、補助信号として選択されず、したがって、この状態には馴染まないことに留意すべきである。
IIIｅ
ｔca″＝１が状態IIIaで選ばれた場合に、第２複合信号Ｒｏに補償を施すことは、従来技術の文献、関連文献表の文献（８）から知られている。これは図５に示されている。また、これに関して、文献（８）の図１１および対応する説明を参照する。
この状態、すなわち、状態IIIaにおいては、図５の回路は付加されているが、先行量子化および引続く量子化復元は伴わず、選択ユニット２８．１は、今度は、ｍｔLO，ｍｔROおよびｍｔCとなる三つの隠蔽閾値の群から最小の隠蔽閾値を選択する。
同様にして、ｔca″＝７が選ばれた場合に、第１複合信号Ｌｏに補償を施すことは、従来技術の文献、関連文献表の文献（８）から知られている。これは、図６に示されている。これについては、文献（８）の図１２および対応する説明を参照する。
この状態では、選択ユニット２８．２は、今度は、ｍｔLO，ｍｔROおよびｍｔCとなる三つの隠蔽閾値の群から最小の隠蔽閾値を選択する。
同様にして、ｔca″＝６が選ばれた場合に、選択ユニット２８．２は、ｍｔLO，ｍｔROおよびｍｔCとなる三つの隠蔽閾値の群から最小の隠蔽閾値を選択する。
表７および表８は、５チャネルの場合について、上述した各状態に対する５選択ユニット２８．１，２８．２，２８．３，２８．４および２８．５における隠蔽閾値の選択のすべてを備えている。
0003948752.tif 000008
0003948752.tif 000009
状態IIIｂ乃至IIIfに対し、表７および表８で満足されていない位置における隠蔽閾値は、状態IIIaで対応する位置に満たされていない隠蔽閾値と同一である。さらに、状態IIIbとIIIeなどの他の任意の状態とを結合させた場合には他の状態（IIIe）のもとに与えられた選択は、IIIbで与えられた選択と置換すべきである。
選択ユニット２８．１が少なくとも隠蔽閾値ｍｔLおよびｍｔLOを必要とすることは、図７および図８から明らかである。さらに、追加の隠蔽閾値ｍｔc，ｍｔs1およびｍｔSrが、選択を実行するのに必要である。状態IIIa（ｔｃａ″＝１）の実施例に関連する場合には、隠蔽閾値ｍｔRも必要となる。さらに、状態IIIeでは、隠蔽閾値ｍｔRDも必要となる。したがって、図１１は、隠蔽閾値判定ユニット２６．１乃至２６．７の各出力と選択ユニット２８．１との間の接続を模式的に示している。問題の符号化装置によって、すなわち、表に与えられた状態によるとともに、ｔｃａ″に対する値によって、表に与えられた必要な隠蔽閾値は、選択ユニット２８．１に供給される。
選択ユニット２８．２は、少なくとも隠蔽閾値ｍｔRおよびｍｔR0を必要とすることは、図７および図８からさらに明らかである。さらに、隠蔽閾値ｍｔc，ｍｔs1およびｍｔsrは選択を実行するのに必要となる。状態IIIa（ｔｃａ＝２）の実施例に関連する場合には、隠蔽閾値ｍｔLも必要となる。さらに、状態IIIfにおいては、隠蔽閾値ｍｔLOも必要となる。したがって、図１１は隠蔽閾値判定ユニット２６．１乃至２６．７の各出力と選択ユニット２８．２との間の接続を模式的に示している。問題の符号化装置の実施例によって、すなわち、表に与えられた状態によるとともに、ｔｃａ″にたする値によって、表に与えられた必要な隠蔽閾値は、選択ユニット２８．２に供給される。
同じようにして、隠蔽閾値判定ユニット２６．１乃至２６．７の各出力は、選択ユニット２８．３乃至２８．５に係合している。問題の符号化装置の実施例によって、すなわち、表に与えられた状態によるとともに、ｔｃａ″に対する値によって、表に与えられた必要な隠蔽閾値は、それぞれ、選択ユニット２８．３乃至２８．５に供給される。
本符号化装置は、記録担体などの蓄積媒体に符号化器によって供給された符号を蓄積するための装置に用いられる。図１２は、かかる装置を、記録装置の形で模式的に示している。１９０で表わすブロックは、上述した符号化装置である。１９１で表わすブロックは、チャネル符号化器が結合ユニット２４，２４．１もしくは２４．２に合体されていない場合には、チャネル符号化器とすることができる。チャネル符号化器においては、その入力１９２に印加された信号は、例えば、リード・ソロモン符号化器や挿入器で符号化されて、受信機でエラー訂正が行われ得るようにする。さらに、再度一例として、参考文献表の文献（５）に見られる従来周知の８対１０変調が行われる。このようにして得られた信号は、磁気的もしくは光学的の記録担体のような記録担体１９３上の単一もしくは複数のトラックに、磁気的もしくは光学的のヘッド１９５のような書込み手段１９４によって記録される。蓄積媒体は、二者択一的に固体メモリとすることができる。
本発明は、その好適な実施例について説明してきたが、かかる例に限られるものではないことは、理解されるべきである。したがって、種々の変形が、請求の範囲に規定されているように、本発明の範囲から逸脱することなく、当業者には明らかであろう。
例えば、以上では、少なくとも二つの隠蔽閾値からの選択された隠蔽閾値の取出しは、その少なくとも二つの隠蔽閾値の中の最小のものを選ぶことによって実現された、という説明がなされて来た。時には、少なくとも二つの隠蔽閾値の中の最小のものを選ぶことさえ、復号に際して得られた信号群の複製では量子化ノイズが完全に聞こえなくなることに通じないことがある。選択された隠蔽閾値の取出しが、かかる状態では、少なくとも二つの隠蔽閾値の群からの最小の隠蔽閾値の選択であるのみならず、さらに、選択された隠蔽閾値を得るために、３ｄＢ（＝１０．ｌｏｇ２）もしくは５ｄＢ（＝１０．ｌｏｇ３）などの数ｄＢを最小の隠蔽閾値から差引くことになる。これに関しては、本願と同じ出願人の名義によりさきに出願された欧州特許出願９６２００９３７．９、関連文献表の文献（１１）を参照する。
ｔｃａ値を用いた選択は、本装置に供給されるような、広帯域デイジタル情報信号に対して実現することができる。しかしながら、従来周知のように、情報信号群を複数のＭ側波帯に分割し、各側波帯における種々の情報信号の側波帯信号のすべてに対し、ｔｃａ値を用いて、各側波帯毎に別々に選択を行なうことも可能である。これは、一つの側波帯では信号Ｌが第１補助信号として選ばれ、他の側波帯では他の信号が第１補助信号として選ばれることを意味し得ることになる。
本送信機装置は、さらに、上述したようにして符号化された情報を備えた伝送信号を識別する識別信号を、伝送信号に付加して発生させることができる。その際、受信機は、その識別信号を検出して、受信された信号が、少なくとも二つの隠蔽閾値の群から取出した隠蔽閾値を用いて符号化される、ことを受信機に知らせることができる。そこで、受信機は、複合信号が聞こえる量子化ノイズを何ら含んでいないので、その複合信号の再生用発生を決定することができる。
さらに、本発明は、新たな特徴のそれぞれのすべて、もしくは、以上に開示された各特徴の組合わせに存在している。
関連文献の表
（１ａ）Ｊ．Ａ．Ｅ．Ｓ．、第４０巻、第５号、１９９２年５月、３７６〜３８２頁
（１ｂ）Ｗ．Ｈ．Ｔｈ．テンカーテ他共著「ビットレート低減オーディオ信号のマトリックス」ＩＣＡＳＳＰの論文集、１９９２年３月２３〜２６日、サンフランシスコ、第２巻、II−２０５乃至II−２０８頁
（２）  米国特許出願第０８／４２７，６４６号明細書
（３）  欧州特許出願第Ａ−４０２，９７３号公報；特開平３−２４８３４号公報（特願平２−１４１６９３号）
（４）  欧州特許出願第Ａ−４９７，４１３Ａ１号公報
（５）  米国特許第４，６２０，３１１号明細書；特開昭６０−１６３５３５号公報（特願昭６０−６００３号）
（６）  欧州特許出願第４００，７５５号公報；特開平３−８２２３３号公報（特願平２−１４３３０３号）
（７ａ）欧州特許出願第Ａ−４５７，３９０号公報
（７ｂ）欧州特許出願第Ａ−４５７，３９１号公報
（８）  欧州特許第６７８，２２６Ａ１号公報および米国特許出願第０８／３２８，９９９号明細書
（９）  ＩＳＯ／ＩＥＣ国際標準ＩＳ１１１７２−３号、情報技術−動き画像および関連音声の約１．５メガビット／秒までのデイジタル蓄積媒体用符号化、第３部「オーディオ」
（１０）ＩＳＯ／ＩＥＣ国際標準ＩＳ１３８１８−３号、情報技術−動き画像および関連音声、第３部「オーディオ」
（１１）欧州特許出願第９６２００９３７．９号公報
【図１】
0003948752.tif 000010
【図２】
0003948752.tif 000011
【図３】
0003948752.tif 000012
【図４】
0003948752.tif 000013
【図５】
0003948752.tif 000014
【図６】
0003948752.tif 000015
【図７】
0003948752.tif 000016
【図８】
0003948752.tif 000017
【図９】
0003948752.tif 000018
【図１０】
0003948752.tif 000019
【図１１】
0003948752.tif 000020
【図１２】
0003948752.tif 000021